(57)【要約】【課題】近似曲面を含む多様な立体形状及び曲線パターンを自在に形成し、曲面を持つ生物体モデル、分子模型等の組み立てにも対応でき、創造的遊具に止まらず数学、科学的教材及び実用具にも用いることができる多様面体及びその組立治具を提供する。【解決手段】所望輪郭形状で線径（ｔ）の複数の非変形性緯線材（３）と、柔軟な変形性を有し、緯線材把持用連結部（４ｂ）が一体に設けられた線径（ｗ）でそれぞれ所定長さの複数の経線材（４）とを具備し、整列配置した緯線材（３）に経線材（４）を交叉配置して両線材（３）（４）を連結し、近似曲面を含む多様な立体形状を自在に形成する。又、線材を方形網状に成形した立体方眼に経線材又はモザイク片を連結し、曲線を含む二次元的パターンを形成する。組立治具は、緯線材を保持する複数の組立台と、複数方向に放射状に形成され、各方向毎に組立台を支持して往復スライド移動させるガイド台とを具備する。【選択図】  図１
2004203008.tif 000002
【特許請求の範囲】
【請求項１】
それぞれ所望の輪郭形状を有する所定線径の複数の非変形性緯線材と、柔軟な変形性を有し、側周面に上記緯線材を着脱自在に把持する複数の連結部が所定ピッチで一体に設けられた所定線径でそれぞれ所定長さの複数の経線材とを具備し、所定距離毎に選択的に整列配置した各緯線材に上記経線材を交叉させて配置すると共に、各経線材を各交叉位置に応じて変形させつつその位置で各緯線材を上記連結部で把持して各緯線材と各経線材とを連結し、近似曲面を含む多様な立体形状を自在に形成できるようにしたことを特徴とする三次元型多様面体。
【請求項２】
緯線材は各種寸法及び形状の幾何図形からなる線材群であることを特徴とする請求項１記載の三次元型多様面体。
【請求項３】
緯線材の角部を平坦に成形したことを特徴とする請求項１及び２記載の三次元型多様面体。
【請求項４】
緯線材の輪郭形状内に所定形状と線径の補強線材を一体形成したことを特徴とする請求項１から３までの何れかに記載の三次元型多様面体。
【請求項５】
両端面に同軸連結用嵌合凹部と凸部、側周面に緯線材把持用単位連結部がそれぞれ一体形成された所定長さの単位経線材を所望数、端面同士、向き合わせて同軸に配置し、向き合った上記凹部と凸部を着脱自在に嵌合して同軸連結して所望長さの経線材を形成したことを特徴とする請求項１から４までの何れかに記載の三次元型多様面体。
【請求項６】
連結用凹凸部はそれぞれ円柱状に成形され、同軸連結時に各単位経線材が個別選択的に軸芯を中心に径方向回転できるようにしたことを特徴とする請求項１から５までの何れかに記載の三次元型多様面体。
【請求項７】
凸部外側周面及び凹部内側周面の一方又は両方に軸方向脱抜及び径方向回転し難くする粗面又は微細凹凸面を形成したことを特徴とする請求項６記載の三次元型多様面体。
【請求項８】
連結部及び単位連結部はバネ材からなることを特徴とする請求項１から７までの何れかに記載の三次元型多様面体。
【請求項９】
請求項６から８までの何れかに記載の単位経線材を同軸連結してなる経線材を用いて三次元型多様面体を各種形成し、且つ、三次元型多様面体の所定の単位経線材を選択的に軸芯を中心に径方向に回転させ、外側に向いた単位連結部で他の三次元型多様面体の緯線材又は経線材を把持し、又は所定の三次元型多様面体から食み出た経線材端部の連結部又は単位連結部で他の三次元型多様面体の緯線材又は経線材を把持し、各種三次元型多様面体を互いに連結して組み合わせて多様な立体形状を形成したことを特徴とする三次元組み合わせ型多様面体。
【請求項１０】
所定線径の方眼線材を縦横に交差した方形網状に成形してなる立体方眼に請求項５から８までの何れかに記載の経線材を変形させつつ上記方眼線材と直交する位置で単位連結部で方眼線材を着脱自在に把持して上記経線材を立体方眼に連結し、立体方眼上に上記経線材による所望の二次元的パターンを形成したことを特徴とする二次元型多様面体。
【請求項１１】
請求項１０記載の立体方眼線材を着脱自在に把持する連結部が所定形状及び寸法のモザイク部の下面所定位置に一体に設けられたモザイク片を複数個、用意し、所望位置で各連結部で方眼線材を着脱自在に把持してモザイク片を立体方眼に連結し、立体方眼上にモザイク片による所望の二次元的パターンを形成したことを特徴とする二次元型多様面体。
【請求項１２】
複数のモザイク片の各モザイク部表面をそれぞれ色付けしたことを特徴とする請求項１１記載の二次元型多様面体。
【請求項１３】
請求項１０記載立体方眼にモザイク片が連結された時、モザイク部が一対の同方向方眼線材の隣り合う各中心線の間に収まり、且つ、モザイク部中心が互いに交差する一対の異方向方眼線材の各中心線の交差点と、その交差点を通る中心線上にあってその線と交差する一対の同方向方眼線材の隣り合う各中心線間の中間点との間を摺動できるように連結部取り付け位置及び厚みを所定位置及び値に設定したことを特徴とする請求項１１又は１２記載の二次元型多様面体。
【請求項１４】
請求項１０から１３までの何れかに記載の二次元型多様面体が形成された立体方眼の線材を、請求項１から９までの何れかに記載の三次元型多様面体から食み出た経線材端部の連結部又は単位連結部で把持し、又は単位経線材の外側に向けた単位連結部で把持し、二次元型及び三次元型各多様面体を同一立体方眼上に構成したことを特徴とする二次元及び三次元混成型多様面体。
【請求項１５】
請求項１１記載モザイク片のモザイク部を碁石形に成形し、その表面を白と黒に色付けして碁石片を形成し、連結部で請求項１０記載の立体方眼線材を着脱自在に把持して囲碁を打つことを特徴とする囲碁型多様面体。
【請求項１６】
請求項１１記載モザイク片のモザイク部を将棋駒形に成形し、その表面に駒名称を印字して駒片を形成し、連結部で請求項１０記載の立体方眼線材を着脱自在に把持して将棋を打つことを特徴とする将棋型多様面体。
【請求項１７】
請求項１１記載モザイク片のモザイク部表面に文字又は数字を印字して文字板を形成し、連結部で請求項１０記載の立体方眼線材を把持して所定の意味を表示する文字板表示体を構成したことを特徴とする表示型多様面体。
【請求項１８】
所望のモデル物体の輪切り断面の輪郭線に合わせて成形された請求項１又は４記載の複数の緯線材と、請求項１又は８記載の経線材とを交叉連結して上記モデル物体近似形立体を形成したことを特徴とするモデル型多様面体。
【請求項１９】
請求項１８記載の複数の緯線材と、請求項６から８までの何れかに記載の単位経線材からなる経線材又は請求項１８記載の経線材とを交叉連結して各種モデル型多様面体を形成し、所定のモデル型多様面体の外向き単位連結部で他のモデル型多様面体の緯線材又は経線材を把持し、又は所定のモデル型多様面体から食み出た経線材端部の連結部又は単位連結部で他のモデル型多様面体の緯線材又は経線材を把持し、各種モデル型多様面体を互いに連結して組み合わせたことを特徴とするモデル組み合わせ型多様面体。
【請求項２０】
請求項１から４までの何れかに記載の緯線材を位置規制して部分的に保持する複数の組立台と、複数方向に放射状に形成され、各方向毎に前記組立台を支持して往復スライド移動させるガイド台とを具備したことを特徴とする多様面体の組立治具。
【発明の詳細な説明】
【０００１】
【発明の属する技術分野】
本発明は、緯線材と経線材とを着脱自在に交叉連結し、曲線を立体的に組み合わせた球体等の幾何学的近似曲面を含む多様な立体形状、及び方眼線材を方形網状に成形してなる立体方眼上に所望の二次元的パターンをそれぞれ自在に形成できるようにした多様面体及びその組立治具に関するものである。
【０００２】
【従来の技術】
多様な形を自由に組み立てて創造性開発を養う知育玩具として古くから粘土細工や積み木細工が知られている。それを発展させたものとして、単位の直方体小ブロックを縦横に着脱自在に面結合して任意の立体モデルを組み立てる組立遊具（商品名「レゴ」）が知られている。近年、複数種類の形状の平板形ジグソー片を各側辺同士、任意に線結合して三次元的に連結し、様々な立体モデルを組み立てるパズルブロック型組立遊具（日本製商品名「ＬａＱ」）が知られている。
【０００３】
更に、正三角形、正方形等の各種二次元的平面体を単位とし、その各側辺同士、任意に線結合により三次元的に連結して様々な多面体立体モデルを組み立てる組立遊具（英国製商品名「ＰＯＬＹＤＲＯＮ」）が知られており、図４９を参照して次に示す。
【０００４】
図４９（ａ）において（１）は正三角形平面体、（２）は正方形平面体で、図に示さないが、他に二等辺三角形、正五角形、正六角形、長方形、直角二等辺三角形等の各平面体がある。上記正三角形平面体（１）及び正方形平面体（２）は各側辺に連結用の凸部（１ａ）（２ａ）及び凹部（１ｂ）（２ｂ）がそれぞれ一体に形成され、且つ、凸部（１ａ）（２ａ）には遊空間（１ｃ）（２ｃ）に連続した切り込み部（１ｄ）（２ｄ）が形成されている。そして、矢印にそれぞれ示すように、凸部（１ａ）を他の平面体の凹部（２ｂ）に、そして凸部（２ａ）を凹部（１ｂ）にそれぞれ押し込む。そうすると、切り込み部（１ｄ）（２ｄ）の両側の凸部（１ａ）（２ａ）が内方にやや弾性変形しつつ両外側端面が凹部（１ｂ）（２ｂ）の内側端面の間に嵌まり込んで凹部内に嵌め合わされ、凸部（１ａ）（２ａ）が弾性反発で凹部（１ｂ）（２ｂ）に蝶番状及び着脱自在に連結される。
【０００５】
そうすると、嵌め合わせ時の蝶番構造により各多角形平面体は回動可能となり、縦横以外に斜めにも連結可能となり、例えば図４９（ｂ）に示すように、正四面体（Ｓｃ）が形成される。但し、図示例は簡略斜視図で、各実線は正三角形平面体の側辺をそれぞれ示し、凸部（１ａ）（２ａ）及び凹部（１ｂ）（２ｂ）…を省略している。
【０００６】
【発明が解決しようとする課題】
従来の各組立遊具において積木及びレゴは単位の立体小ブロックを組み合わせて多様な立体モデルを構成し、又、ＬａＱ及びポリドロンは単位の二次元的平面体を組み合わせて多様な三次元多面体モデルを構成するものである。これらの各遊具により組み立てられた立体モデルは何れも角張った構造の三次元立体で、乗物や建造物等の機械的、無機的なモデル或いは多面体構造の組み立てには甚だ有効である。ところが、同時に、球体の他、多様な曲面を自在に形成することが構造的にできないため、例えば動物、植物等の生物体のように多様な曲面及び曲線を有する立体形状の組み立てに際しては、甚だ不具合を生じる。更に、球体を利用する各種分子模型についても同様に不適である。
【０００７】
本発明の目的は、近似曲面を含む多様な立体形状を自在に形成し、多様な外形曲面を有する生物体モデル、分子模型等の組み立てにも対応でき、創造的遊具に止まらず数学、科学的教材にも用いることができる多様面体及びその組立治具を提供することである。
【０００８】
【課題を解決するための手段】
本発明は、それぞれ所望の輪郭形状を有する所定線径の複数の非変形性緯線材と、柔軟な変形性を有し、側周面に上記緯線材を着脱自在に把持する複数の連結部が所定ピッチで一体に設けられた所定線径でそれぞれ所定長さの複数の経線材とを具備し、所定距離毎に選択的に整列配置した各緯線材に上記経線材を交叉配置すると共に、各経線材を各交叉位置に応じて変形させつつその位置で各緯線材を上記連結部で把持して各緯線材と各経線材とを連結し、近似曲面を含む多様な立体形状を自在に形成できるようにしたこと、又、所定線径の方眼線材を縦横に交差した方形網状に成形してなる立体方眼に上記経線材を変形させつつ連結し、又は複数のモザイク片を連結し、それぞれ所望の二次元的パターンを形成したことを特徴とする。組立治具は、緯線材を位置規制して部分的に保持する複数の組立台と、複数方向に放射状に形成され、各方向毎に前記組立台を支持して往復スライド移動させるガイド台とを具備したことを特徴とする。
【０００９】
【発明の実施の形態】
以下、本発明の実施の形態を図１〜図４８を参照して説明する。まず図１（ａ）〜（ｇ）は本発明の基本的構成を示す図で、図１（ａ）及びそのＡ−Ａ線断面の図１（ｂ）において（３）は線径（ｔ）の丸棒状線材を所望の輪郭形状に成形して形成された非変形性緯線材で、図示例では円形輪郭に成形された線材である。緯線材（３）は円形に限らず、線径（ｔ）の丸棒状線材をそれぞれ所望の輪郭形状に成形して形成された複数本の線材で、各種形状につき詳細は後述する。
【００１０】
次に、図１（ｃ）において（４）は線径（ｗ）の丸棒状線材からなる経線材で、その側周面に緯線材（３）を着脱自在に弾性把持する複数の連結部（４ｂ）…が所定ピッチで一体に設けられる。経線材（４）は複数本設けられ、軸方向長さを複数本の異なる経線材毎に等しく、又は相異ならせて適宜、設定する。且つ、容易に線形性が崩れない十分な物理的強度と柔軟な変形性を有する構造を持ち、変形性は弾性的であることが好ましいが、塑性的でも良い。その構造のために経線材（４）は軟質性プラスチック材料、例えばポリエチレン等で形成し、線径（ｗ）を２ｍｍ前後から３ｍｍ程度までにすることが望ましく、後述する多様面体の形状により経線材（４）を変形させる必要がない場合、それ以上の太さの線径でも良い。又、連結部（４ｂ）は円環状体で、その下面中央部（４ｃ）を切り割って左右に分断し、両切り割り面に図示下方に向って幅広となるテーパ面（４ｄ）を形成したものである。連結部（４ｂ）は円環内に緯線材（３）を弾性把持するもので、円環内径を線径（ｔ）に設定する。
【００１１】
図１（ｃ）に示すように、テーパ面（４ｄ）に緯線材（３）を、又は逆に緯線材（３）にテーパ面（４ｄ）を押し込むと、テーパ面（４ｄ）が左右に開き、図１（ｄ）に示すように、連結部（４ｂ）の円環内に緯線材（３）が収納されて着脱自在に弾性把持される。この時、緯線材（３）のテーパ面（４ｄ）への出入りを滑らかにするため、テーパ面（４ｄ）の上方の左右の切り割り面の接触部分（４ｅ）に丸味を持たせることが望ましい。又、図１（ｃ）のＢ−Ｂ線断面を示す図１（ｅ）に示すように、連結部（４ｂ）の円環状断面は、厚さ（ｗ）の円柱体の中央部を内径（ｔ）の円形に真直ぐ刳り貫いて貫通させたもの（４ｂａ）、経線材（４）の半分の線径の丸棒を円環状に形成したもの（４ｂｂ）、経線材（４）と同線径（ｗ）の丸棒を円環状に形成したもの（４ｂｃ）、経線材（４）と同線径（ｗ）の半丸棒を半円側を把持面として内に向けて円環状に形成したもの（４ｂｄ）がある。尚、図１（ｆ）に示すように、弾性把持された緯線材（３）の外周面が経線材（４ｐ）の側周面と同じ高さ｛図示一点鎖線（４ｑ）｝に位置するように連結部（４ｒ）を形成しても良い。
【００１２】
上記構成に基づき本発明によれば、図１（ｇ）に示すように、各種寸法の円形緯線材（３）…（但し、各実線は各線材を示し、各種寸法の緯線材に同一符号を付す）を所定距離毎に選択的に整列配置する。その緯線材（３）…に対し経線材（４）…を交叉配置すると共に、各経線材（４）…を各交叉位置に応じて柔軟に変形させつつその位置（実線交点位置）で各緯線材（３）…を連結部（４ｂ）…で把持して各緯線材（３）…と各経線材（４）…とを連結する。そうすると、経線材（４）は柔軟な変形により曲線を描くため、整列配置した円形緯線材（３）…に交叉連結することにより曲線材を立体的に組み合わせて形成される略球体形の近似曲面が上下頂部を除き三次元型多様面体として形成される。又、緯線材（３）の配置形態を変えると、異なる多様面体を形成できる。
【００１３】
そこで、各種寸法及び輪郭形状の緯線材（３）…を用意し、その各線材間距離や位置を選択して自在に整列配置し、経線材（４）で交叉連結することにより曲線材を立体的に組み合わせて形成される近似曲面を含む多様な立体形状を自在に形成できる。即ち、本発明は経線材（４）の柔軟な変形性に基づく曲線及び緯線材（３）の輪郭曲線とを利用し、様々な形状寸法の複数の曲線材を三次元立体的に組み合わせて多様な三次元近似曲面、即ち本発明に係る三次元型多様面体を自在に形成することを主特徴とし、緯線材（３）の輪郭形状を曲線形の他、各種多角形等に選択することにより近似曲面以外の立体も可能となる。従って、上述の如く本発明の経線材（４）は容易に線形性を崩さない十分な物理的強度を保持しつつ柔軟な変形性を有するための材質や寸法の選択が必要で、材質としてポリエチレン等の軟質性プラスチック材料、寸法として２ｍｍ前後から３ｍｍ程度までの線径にそれぞれ設定することが望ましく、柔軟な弾性的変形性を持つ。
【００１４】
次に、本発明に係る多様面体の他の実施例を図２〜図４６を参照して示す。まず図２（ａ）（ｂ）において（５ａ）は柔軟な変形性を有する所定長さ（ｄ）及び線径（ｅ）の丸棒状の単位経線材で、その側周面に緯線材（３）を着脱自在に弾性把持する単位連結部（５ｂ）が一体形成される。単位経線材（５ａ）は経線材（４）と同様、例えばポリエチレン等の軟質性プラスチック材料で形成され、且つ、線径（ｅ）を２ｍｍ前後から３ｍｍ程度までにして柔軟な弾性的変形性を有する構造とし、軸長さ（ｄ）は例えば単位連結部（５ｂ）の円環外径よりもやや長め、例えば４ｍｍから７〜８ｍｍ程度に設定することが望ましい。又、単位経線材（５ａ）の両端面にそれぞれ連結用嵌合凸部（５ｃ）と凹部（５ｄ）を設け、凸凹部（５ｃ）（５ｄ）は例えば所定長さ（ｓ）の円柱状に形成される。
【００１５】
又、単位連結部（５ｂ）は連結部（４ｂ）と同様、円環状体で、その下面中央部（５ｅ）を切り割って左右に分断し、且つ、両切り割り面に図示下方に向って幅広となるテーパ面（５ｆ）を形成したものである。そして、図２（ｄ）（ｅ）に示すように、例えばテーパ面（５ｆ）を緯線材（３）に、又は緯線材（３）をテーパ面（５ｆ）に押し込むと、テーパ面（５ｆ）が左右に開いて緯線材（３）が連結部（５ｂ）の円環内に収納されて着脱自在に弾性把持される。この時、緯線材（３）のテーパ面（５ｆ）への出入りを滑らかにするため、テーパ面（５ｆ）の上方の左右の切り割り面の接触部分（５ｇ）に丸味を持たせることが望ましい。
【００１６】
そこで、図２（ｃ）（ｄ）（ｅ）に示すように、複数本の単位経線材（５ａ）…の各端面同士を向き合わせて同軸に配置し、各凸部（５ｃ）…と凹部（５ｄ）…とを着脱自在に嵌合して同軸連結し、所定長（Ｄａ）の経線材（５）を形成する。この時、単位経線材（５ａ）の本数を選択することにより経線材（５）の軸長（Ｄａ）を自在に設定でき、且つ、凸部（５ｃ）を凹部（５ｄ）から軸方向に部分的に適宜、出入りさせることにより経線材（５）の軸長（Ｄａ）を更に微妙に調整することが可能となる。
【００１７】
又、図３（ａ）に示すように、単位連結部（５ｂ）が無い経線材部分のみからなる単位経線材（５ａａ）を単位経線材（５ａ）…間に適宜、介在させることにより単位連結部（５ｂ）間のピッチ（Ｐ）を調整でき、上述のように、凸部（５ｃ）を凹部（５ｄ）から軸方向に部分的に適宜、出入りさせてもピッチ（Ｐ）を微調整できる。又、凸凹部（５ｃ）（５ｄ）を円柱状にすると、図３（ｂ）に示すように、図示例中央部の単位連結部（５ｂａ）を左右の単位連結部（５ｂ）に対して１８０°反転させると、後述するように、所定の他の多様面体の緯線材（３）又は経線材（４）（５）に連結できる。
【００１８】
又、図３（ｃ）に示すように、単位経線材（６ａ）の側周面に単位連結部（６ｂ）の形成部位を除く全周囲に亘り軸方向に溝部（６ｈ）…（図示例ではＶ溝、図示しないが、方形溝でも良い）を形成し、蛇腹状の単位経線材（６ａ）を形成すると、単位経線材（６ａ）の線径を太めにしても柔軟な変形性を有することが可能になる。又、図３（ｄ）に示す経線材（７）は、単位経線材（６ａ）の蛇腹状側周面を単位連結部（６ｂ）の形成部位を除いて全周囲に亘り軸方向にシート材（７ａ）で被覆し、外観を良好にしたもので、シート材に代えてテープ材を巻き付けても良い。
【００１９】
本発明に係る単位経線材の他の実施例を図４〜図１０を参照して次に示す。まず図４（ａ）に示す単位経線材（８ａ）は両側周面に対向する単位連結部（８ｂ）（８ｃ）を一体形成したもので、図示点線は凹部を示す。図４（ｂ）に示す単位経線材（９ａ）は側周面と片端面に単位連結部（９ｂ）（９ｃ）を一体形成したもので、図示点線は凹部を示す。図４（ｃ）に示す一対の単位経線材（１０ａ）（１１ａ）は各側周面の一方の端面側にそれぞれ単位連結部（１０ｂ）（１１ｂ）を一体形成し、左に示す単位経線材（１０ａ）の嵌合凸部を省略して凹部（点線部）を形成したもので、右に示す単位経線材（１１ａ）は嵌合凸部を形成して凹部は形成しても、しなくても良い。図４（ｄ）に示す単位経線材（１２ａ）は軸長（ｄａ）を長めに設定したもので、図示点線は凹部を示す。図４（ｅ）に示す単位経線材（１３ａ）は側周面の単位連結部を省略し、一方の端面に嵌合凸部に代えて単位連結部（１３ｂ）を、他方の端面に嵌合凹部（１３ｃ）（点線）をそれぞれ形成したものである。同図に示す単位経線材（１４ａ）は単位連結部（１４ｂ）の切り割り面対向位置に嵌合凸部（１４ｃ）（点線）を一体形成したもので、経線材の軸長さはあってもなくても良い。
【００２０】
図５（ａ）は単位経線材（１５ａ）に一体形成した連結用嵌合凸凹部の変形実施例を示す凸凹部（１５ｂ）（１５ｃ）の部分断面正面図で、まず凸部（１５ｂ）の側周面の先端近傍に所定高さだけ部分的に突出したストッパ用外段部（１５ｄ）を一体に設け、且つ、端面から軸方向に所定長さの切り欠き部（１５ｅ）を穿設する。そして、凹部（１５ｃ）の孔径（ｒ）を外段部（１５ｄ）の外径（ｕ）に合わせると共に、開口端面の内側周面に内方に突出した内段部（１５ｆ）を設ける。そこで、図５（ａ）に示すように、前記同様、矢印方向に凸部（１５ｂ）を凹部（１５ｃ）内に挿入すると、挿入時には外段部（１５ｄ）が内段部（１５ｆ）に当接し、切り欠き部（１５ｅ）を閉じつつ縮径して凹部（１５ｃ）の開口を通過し、図５（ｄ）に示すように、凸部（１５ｂ）が凹部（１５ｃ）内に嵌合して収納される。
【００２１】
逆に、凸部（１５ｂ）を凹部（１５ｃ）から抜き出そうとする際、凹部開口付近で外段部（１５ｄ）が同様に内段部（１５ｆ）に当接して係止される。そこで、抜き出す力をやや大きくすると、凸部（１５ｂ）が先端で切り欠き部（１５ｅ）を閉じつつ縮径して凹部（１５ｃ）の開口を通過して抜き出される。従って、凸部（１５ｂ）が凹部（１５ｃ）から容易に抜け落ちない構造となり、例えば凸部（１５ｂ）を部分的に抜き出して単位連結部（１５ｇ）間のピッチ（Ｐ）及び経線材の軸長さを微調節する際、凸部（１５ｂ）の凹部（１５ｃ）からの脱抜（抜け落ち）を防止できる。尚、図５（ｂ）は単位経線材（１５ａ）の凹部側から見た側面図、図５（ｃ）は図５（ａ）のＣ−Ｃ線側断面図である。
【００２２】
図６（ａ）に示す単位経線材（１６ａ）は単位連結部（１６ｂ）として別体の金属製バネ材を使用したもので、その形状は円環状バネ材（１６ｂａ）の下面中央部を切り割って左右に分断し、且つ、上部に取り付け部（１６ｂｂ）を一体に設けたもので、更に切り割り面に下方に拡径したテーパ面（１６ｂｃ）を形成しておくことが望ましい。バネ材としては、例えば図６（ｂ）に示す線バネ材（１６ｂａ’）、又は図６（ｃ）に示す板バネ材（１６ｂａ”）がある。又、単位経線材（１６ａ）の側周面の一部に肉厚部（１６ａａ）を設けておき、その肉厚部分に単位連結部（１６ｂ）の取り付け部（１６ｂｂ）を埋め込み一体成形することが望ましい。
【００２３】
図６（ｄ）に示す単位経線材（１７ａ）は単位連結部（１７ｂ）で緯線材（３）を把持した際、緯線材（３）の外周面が単位経線材（１７ａ）の側周面と同じ高さ｛図示一点鎖線（１７ｃ）｝に位置するように単位連結部（１７ｂ）を形成したものである。図６（ｅ）に示す単位経線材（１８ａ）は単位連結部（１８ｂ）の下面中央部の切り割り面（１８ｂａ）の端面に丸味を持たせ、更に左右切り割り面（１８ｂａ）の間に隙間（１８ｂｂ）を設けたものである。図６（ｆ）に示す単位経線材（１９ａ）は側周面に発光ダイオード（２０）を取り付けて随時、発光させるようにしたもので、例えば嵌合凸部（１９ｂ）の先端、及び凹部（１９ｃ）の内側周面に導電材（１９ｄ）（１９ｅ）を設け、且つ、凸部（１９ｂ）と単位経線材（１９ａ）内に導線（２０ａ）を埋め込んで導電材（１９ｄ）（１９ｅ）に電気的接続する。尚、単位経線材（１９ａ）の軸長さを十分に長くし、発光部を表面に露出させつつ発光ダイオード（２０）を凹部（１９ｃ）を避けて単位経線材内に埋設することもできる。
【００２４】
図６（ｇ）に示す単位経線材（２１ａ）は単位経線材（１６ａ）と同様、単位連結部（２１ｂ）として別体の金属製バネ材を使用し、その円環状バネ材の下面中央部を切り割って左右に分断し、且つ、上部に取り付け部（２１ｂａ）を一体に設けて単位経線材（２１ａ）の肉厚部分（２１ａａ）に埋め込み一体成形したものである。相違する点は、単位連結部（２１ｂ）の切り割り面（２１ｂｂ）の端面に丸味を持たせ、更に左右切り割り面（２１ｂｂ）の間に隙間（２１ｂｃ）を設けたことである。又、図６（ｈ）（ｉ）に示す単位経線材（２２ａ）は単位連結部（２２ｂ）の軸方向を単位経線材（２２ａ）と平行にしたもので、単位連結部（２２ｂ）で緯線材（３）を把持した際、緯線材（３）の軸方向と単位経線材（２２ａ）の軸方向は平行になる。
【００２５】
図７（ａ）に示す単位経線材（１７ｕ）は連結用嵌合凸部（１７ｕａ）の外側周面にひげ状の微細突起（１７ｕｂ）を多数形成したもので、凸部嵌合時に微細突起（１７ｕｂ）が凹部内周面に擦れて横臥状になると、その弾性反発力によって凹部内側周面との摩擦が大きくなり、軸方向に脱抜し難く、且つ、径方向に回転し難くなる。尚、この場合、単位連結部（１７ｕｄ）は図６（ｄ）と同様、把持された緯線材（３）の外周面が単位経線材（１７ｕ）の側周面と同じ高さに位置するように形成する。図７（ｂ）に示す単位経線材（１７ｖ）は連結用嵌合凸部（１７ｖａ）の外側周面、及び凹部（１７ｖｃ）の内側周面にそれぞれひげ状の微細突起（１７ｖｂ）及び（１７ｖｄ）を多数形成し、凸部嵌合時に微細突起（１７ｖｂ）（１７ｖｄ）が噛み合って、凸凹部（１７ｖａ）（１７ｖｃ）の間の摩擦を更に大きくして軸方向に脱抜し難く、且つ、径方向に回転し難くしたものである。尚、この場合も単位連結部（１７ｖｅ）は図７（ａ）と同様、緯線材（３）の外周面が単位経線材（１７ｖ）の側周面と同じ高さに位置するように形成する。
【００２６】
図７（ｃ）に示す単位経線材（１７ｗ）は連結用嵌合凸部（１７ｗａ）の外側周面及び凹部（１７ｗｃ）の内側周面の各表面をそれぞれ粗くして粗面を形成したもので、これにより上記同様、凸部嵌合時に凸凹部（１７ｗａ）（７ｗｃ）の間の摩擦を大きくして軸方向に脱抜し難く、且つ、径方向に回転し難くする。尚、面粗度は微細粗度で十分であるが、製作上の難易さ及び軸方向出入り具合等の操作性に応じ適宜、設定すれば良い。この場合も単位連結部（１７ｗｄ）は図７（ａ）（ｂ）と同様、緯線材（３）の外周面が単位経線材（１７ｗ）の側周面と同じ高さに位置するように形成する。又、上記粗面に替えて微細凹凸面でも良い。
【００２７】
図７（ｄ）に示す単位経線材（１７ｐ）は連結用嵌合凸部を省略すると共に、凹部に替えて貫通孔（１７ｐａ）を穿設したもので、同図に示すように、複数の単位経線材（１７ｐ）を貫通孔（１７ｐａ）を同軸に揃えつつ端面同士、突き合わせて並べ、揃った貫通孔（１７ｐａ）に貫通孔径と同径の丸棒軸（１７ｐｂ）を挿通する。そうすると、複数の単位経線材（１７ｐ）は一軸に連結されて経線材が形成されると共に、個々の単位経線材毎に個別に回転可能になる。この場合も単位連結部（１７ｐｃ）は上記同様、緯線材（３）の外周面が単位経線材（１７ｐ）の側周面と同じ高さに位置するように形成する。
【００２８】
又、丸棒軸（１７ｐｂ）は複数の単位経線材（１７ｐ）の合成軸長に合わせれば良いが、図７（ｅ）に示すように、両端面に嵌合用凸凹部（１７ｐｄ）（１７ｐｅ）を有する単位丸棒軸（１７ｐｆ）を凸凹部（１７ｐｄ）（１７ｐｅ）を嵌合させて同軸連結する。そこで、単位丸棒軸（１７ｐｆ）の本数や凸部（１７ｐｄ）の出入り長さを適宜、調整して全軸長を調整できるようにしても良い。又、図７（ｃ）と同様、凸凹部（１７ｐｄ）（１７ｐｅ）の外側周面と内側周面にそれぞれ粗面を形成しても良い。又、図７（ｆ）（ｇ）に示す各単位丸棒軸（１７ｐｇ）（１７ｐｈ）はそれぞれ両端面に凹部（点線部）及び凸部を形成したものである。
【００２９】
図８（ａ）に示す単位経線材（２３ａ）は十字状に四つ股成形し、四つの各分枝毎に端部付近に単位連結部（２３ｂ）を一体形成したもので、且つ、単位経線材（２３ａ）の端部に連結用嵌合凹部（２３ｃ）が穿設され、図示しないが、凹部（２３ｃ）に替えて連結用嵌合凸部を形成しても良い。そこで、図８（ｂ）に示すように、単位経線材（２３ａ）を適宜、湾曲させて単位連結部（２３ｂ）により緯線材（３）を把持すると共に、凹部（２３ｃ）に例えば図２（ａ）に示す単位経線材（５ａ）の凸部（５ｃ）を嵌合させて同軸連結する。或いは、図示しないが、単位経線材（２３ａ）を適宜、湾曲させ、例えば図２（ａ）に示す単位経線材（５ａ）の凸部（５ｃ）に凹部（２３ｃ）を直接、同軸連結しても良い。単位経線材（２３ａ）は例えば図１（ｇ）に示す球体の上下極部（地球の北極と南極に相当）に利用すると、好適である。
【００３０】
ここで、図８（ａ）に示す単位経線材（２３ａ）の成形が困難である場合、図８（ｃ）に示すように、十字状に四つ股成形した単位経線材（２４ａ）の各分枝端部に嵌合凹部（２４ｂ）を穿設し、単位経線材（２４ａ）を適宜、湾曲させて各凹部（２４ｂ）に例えば図２（ａ）に示す単位経線材（５ａ）の凸部（５ｃ）を嵌合して同軸連結しても良い。或いは、図示しないが、単位経線材（２４ａ）の各分枝端部に嵌合凸部を設け、単位経線材（２４ａ）を適宜、湾曲させて各凸部に例えば図２（ａ）に示す単位経線材（５ａ）の凹部（５ｄ）を嵌合して同軸連結しても良い。この場合も、単位経線材（２４ａ）の凹部内側周面又は凸部外側周面とにそれぞれ粗面を形成し、図７（ｃ）に示す単位経線材（１７ｗ）を用いても良い。
【００３１】
図９（ａ）に示す単位経線材（２５ａ）は十字状に四つ股成形して十字の交叉位置に、嵌合凹部（２５ｂ）を有する連結線材部（２５ｃ）を一体に突設したものである。そこで、単位連結部（２６ａ）の切り割り面対向位置に凸部（２６ｂ）を突設して単位経線材（２６）を形成し、凸部（２６ｂ）を凹部（２５ｂ）に嵌合して単位連結部（２６ａ）で緯線材（３）を把持しても良い。又は凹部（２５ｂ）に直接、他の単位経線材の連結用凸部（図示せず）を嵌合しても良い。この場合も、凹部（２５ｂ）の内側周面と凸部（２６ｂ）の外側周面とにそれぞれ粗面を形成しても良い。
【００３２】
図９（ｂ）（ｃ）に示す単位経線材（２７ａ）は十字状に四つ股成形して十字の交叉位置に各分枝毎に切り込み部（２７ｂ）を形成し、単位経線材（２７ａ）を湾曲ではなく十字交叉位置から屈曲するようにしたもので、前記同様、各分枝の端部付近に単位連結部（２７ｃ）を一体形成し、且つ、嵌合凹部（２７ｄ）も同様に設け、図示しないが、凹部（２７ｄ）に替えて凸部を設けても良い。この時、図９（ｄ）に示すように、十字交叉位置に切り込み部（２７ｂ）の対向面に上方に突出した頂角部（２７ｅ）を設けておく。そこで、単位経線材（２７ａ）を十字交叉位置で所望角度に応じて屈曲させて単位連結部（２７ｃ）で緯線材（３）を把持すると、単位経線材（２７ａ）は例えば円錐や角錐等の錐体の頂部を形成する。或いは、図示しないが、単位経線材（２７ａ）を適宜、屈曲させ、例えば図２（ａ）に示す単位経線材（５ａ）の凸部（５ｃ）に凹部（２７ｄ）を直接、同軸連結しても良い。尚、単位経線材（２７ａ）と単位連結部（２７ｃ）の一体成形が困難な場合、図８（ｃ）と同様、両者を別体に成形した後、連結しても良い。
【００３３】
図１０（ａ）に示す単位経線材（２８ａ）は三つ股成形して三つ股交叉位置に各分枝毎に切り込み部（２８ｂ）を形成し、三つ股交叉位置から屈曲するようにしたもので、前記同様、各分枝の端部付近に単位連結部（２８ｃ）及び嵌合凹部又は凸部（図示せず）も同様に設ける。この時、図９（ｄ）と同様、三つ股交叉位置に切り込み部（２８ｂ）の対向面に上方に突出した頂角部（図示せず）を設けておく。そこで、単位経線材（２８ａ）を三つ股交叉位置で所望角度に応じて屈曲させて単位連結部（２８ｃ）で緯線材（３）を把持すると、同様に単位経線材（２８ａ）は例えば円錐や角錐等の錐体の頂部を形成する。或いは、図示しないが、単位経線材（２８ａ）を適宜、屈曲させ、例えば図２（ａ）に示す単位経線材（５ａ）の凸部（５ｃ）に嵌合凹部を直接、同軸連結しても良い。尚、単位経線材（２８ａ）と単位連結部（２８ｃ）の一体成形が困難な場合、図８（ｃ）と同様、両者を別体に成形した後、連結しても良い。
【００３４】
図１０（ｂ）に示す単位経線材（２９）は連結用嵌合凸部（２９ａ）の端面及びそれに当接する凹部（２９ｂ）の孔内端面に、図１０（ｂ）（ｃ）（ｄ）に示すように、それぞれ互いに噛み合う微小突起（２９ｃ）（２９ｄ）を形成したもので、凸凹部（２９ａ）（２９ｂ）の嵌合時に凸部（２９ａ）を強く押し込むことにより微小突起（２９ｃ）（２９ｄ）が互いに噛み合って強固に嵌合し、単位経線材（２９）を強固に同軸連結する。
【００３５】
次に、緯線材（３）の他の実施例を図１１〜図１７を参照して示す。まず図１１（ａ）〜（ｆ）は大小各種寸法の円形緯線材（３０）〜（３４）の各平面図で、図１１（ａ）のＤ−Ｄ線断面を示す図１１（ｂ）に示すように、線材断面形状は円形である。図１１（ｇ）〜（１）は大小各種寸法の楕円形緯線材（３５）〜（３９）の各平面図で、図１１（ｇ）のＥ−Ｅ線断面を示す図１１（ｈ）に示すように、線材断面形状は円形である。図１２（ａ）（ｂ）（ｃ）は大小各種寸法の半円形緯線材（４０）（４１）（４２）、図１２（ｄ）（ｅ）（ｆ）は大小各種寸法の四分円形緯線材（４３）（４４）（４５）、図１２（ｇ）（ｈ）（ｉ）は大小各種寸法の正三角形緯線材（４６）（４７）（４８）、図１２（ｊ）（ｋ）（１）は大小各種寸法の正方形緯線材（４９）（５０）（５１）の各平面図で、線材断面形状はそれぞれ円形である。図１３（ａ）〜（ｄ）は大小各種寸法の正五角形緯線材（５２）（５３）及び正六角形緯線材（５４）（５５）の各平面図で、線材断面形状はそれぞれ円形である。
【００３６】
図１４（ａ）〜（１）は緯線材の形状内に各種形状の補強線材を一体形成した各種形状の緯線材（５６）〜（６７）の各平面図で、一例として円形緯線材（５６）の場合、（５６ａ）が補強線材となり、線材断面形状はそれぞれ円形である。図１５（ａ）〜（ｆ）は他の形状の補強線材を一体形成した各種形状の緯線材（６８）〜（７３）の各平面図で、線材断面形状はそれぞれ円形である。
【００３７】
図１５（ｇ）〜（１）は正三角形、正方形等の各種多角形及び半円、四分円形各緯線材の角部（コーナ部）を平坦に成形した緯線材（７４）〜（７９）の各平面図で、線材断面形状はそれぞれ円形である。一例として同寸法の複数の正三角形緯線材（７４）を整列配置して平坦コーナ部（７４ａ）を本発明の経線材の連結部で把持して交叉連結すると、三角柱体を形成できる。或いは、大小異寸法の複数の正三角形緯線材（７４）を大小順に整列配置して経線材で交叉連結し、頂部に図９（ｂ）に示す単位経線材（２７ａ）又は図１０（ａ）に示す単位経線材（２８ａ）を用いると、三角錐体を形成できる。他の角形及び、半円、四部円形各緯線材（７５）〜（７９）についても同様である。図１６（ａ）〜（ｊ）は補強線材及び平坦コーナ部を一体形成した各種形状寸法の緯線材（８０）〜（８９）の各平面図で、一例として正三角形緯線材（８０）では（８０ａ）が補強線材、（８０ｂ）が平坦コーナ部となり、線材断面形状はそれぞれ円形である。
【００３８】
図１７（ａ）は四分円の二つの半径部（９０ａ）の各端面に連結用凸凹部（９０ｂ）（９０ｃ）を一体形成した四分円形緯線材（９０）の平面図で、４枚の緯線材（９０）の凸凹部（９０ｂ）（９０ｃ）を互いに嵌合して連結し、一枚の大円形緯線材を形成する。この時、図１７（ｂ）に示すように、半径部（９０ａ）の凹部形成部分を部分的に肉厚にし、その肉厚部（９０ａａ）に凹部（９０ｃ）を形成し、半径部（９０ａ）の強度を保持することが望ましい。
【００３９】
次に、上述した本発明に係る各種形状寸法の経線材及び緯線材を選択的に用いて形成した各種の三次元型多様面体の実施例を図１８〜図２２を参照して示す。まず図１８（ａ）（ｂ）は三次元型多様面体としての球体（９１）を示し、図１８（ｂ）は球体（９１）の平面図で、図１８（ａ）はそのＦ−Ｆ線正断面を示す。上記球体（９１）を形成するに際しては、まず図１８（ｃ）に示すように、複数の大小円形緯線材（９１ａ）を選択し、球体（９１）の緯線に合わせて図示上下縦方向に沿って整列配置する。その整列状態を平面的に見た場合、図１８（ｄ）に示すようになる。経線材（９１ｂ）は単位経線材を所定長さに選択的に同軸連結したものを用いる。そこで、図１８（ａ）（ｂ）に示すように、整列配置された複数の緯線材（９１ａ）に対し複数の経線材（９１ｂ）を図示縦方向に変形させつつ交叉して配置し、その交叉位置で経線材（９１ｂ）の単位連結部（９１ｃ）で緯線材（９１ａ）を外側から把持する。この時、単位経線材の連結用凸部を微小に出入りさせて単位連結部間ピッチ（Ｐ）を微調整し、球体（９１）の円弧長さを半径に合わせて微調整する。尚、上下極については、図８（ａ）（ｃ）に示す十字四つ股単位経線材（２３ａ）又は（２４ａ）を用いる。
【００４０】
図１８（ｅ）（ｆ）は半球体（９２）を示し、図１８（ｆ）は半球体（９２）の平面図で、図１８（ｅ）はそのＧ−Ｇ線正断面を示す。上記半球体（９２）を形成するに際しては、まず図１８（ｃ）と同様、複数の大小円形緯線材（９２ａ）を選択し、半球体（９２）の緯線に合わせて図示上下縦方向に沿って整列配置する。経線材（９２ｂ）は単位経線材を所定長さに選択的に同軸連結したものを用いる。そこで、図１８（ｅ）（ｆ）に示すように、整列配置された複数の緯線材（９２ａ）に対し複数の経線材（９２ｂ）を変形させつつ内側から図示縦方向に交叉配置し、その交叉位置で経線材（９２ｂ）の単位連結部（９２ｃ）で緯線材（９２ａ）を内側から把持する。この時、単位経線材の連結用凸部を微小に出入りさせて単位連結部間ピッチ（Ｐ）を微調整し、半球体（９２）の円弧長さを半径に合わせて微調整する。尚、下極については、上記同様、図８（ａ）（ｃ）に示す十字四つ股単位経線材（２３ａ）又は（２４ａ）を用いる。
【００４１】
図１９（ａ）（ｂ）は球体（９１）よりも小径の球体（９３）を示し、図１９（ｂ）は球体（９３）の平面図で、図１９（ａ）はそのＨ−Ｈ線正断面を示す。上記球体（９３）を形成するに際しては、まず図１８（ｃ）と同様、複数の大小円形緯線材（９３ａ）を選択し、球体（９３）の緯線に合わせて図示上下縦方向に沿って整列配置する。又、経線材（９３ｂ）は単位経線材を所定長さに選択的に同軸連結したものを用いる。そこで、図１９（ａ）（ｂ）に示すように、整列配置された複数の緯線材（９３ａ）に対し複数の経線材（９３ｂ）を外側から変形させつつ図示縦方向に交叉配置し、その交叉位置で経線材（９３ｂ）の単位連結部（９３ｃ）で緯線材（９３ａ）を外側から把持する。この時、単位経線材の連結用凸部を微小に出入りさせて単位連結部間ピッチ（Ｐ）を微調整し、球体（９３）の円弧長さを半径に合わせて微調整する。尚、上下極については、上記同様、図８（ａ）（ｃ）に示す十字四つ股単位経線材（２３ａ）又は（２４ａ）を用いる。
【００４２】
図１９（ｃ）（ｄ）は球体（９３）よりも更に小径の球体（９４）を示し、図１９（ｄ）は球体（９４）の平面図で、図１９（ｃ）はそのＪ−Ｊ線正断面を示す。上記球体（９４）を形成するに際しては、まず図１８（ｃ）と同様、複数の大小円形緯線材（９４ａ）を選択し、球体（９４）の緯線に合わせて図示上下縦方向に沿って整列配置する。又、経線材（９４ｂ）は単位経線材を所定長さに選択的に同軸連結したものを用いる。そこで、図１９（ｃ）（ｄ）に示すように、整列配置された複数の緯線材（９４ａ）に対し複数の経線材（９４ｂ）を外側から変形させつつ図示縦方向に交叉配置し、その交叉位置で経線材（９４ｂ）の単位連結部（９４ｃ）で緯線材（９４ａ）を外側から把持する。この時、単位経線材の連結用凸部を微小に出入りさせて単位連結部間ピッチ（Ｐ）を微調整し、球体（９４）の円弧長さを半径に合わせて微調整する。尚、上下極については、上記同様、図８（ａ）（ｃ）に示す十字四つ股単位経線材（２３ａ）又は（２４ａ）を用いる。
【００４３】
図１９（ｅ）（ｆ）は円錐体（９５）を示し、図１９（ｆ）は円錐体（９５）の平面図で、図１９（ｅ）はそのＫ−Ｋ線正断面を示す。上記円錐体（９５）を形成するに際しては、まず図１８（ｃ）と同様、複数の大小円形緯線材（９５ａ）を選択し、円錐体（９５）の緯線に合わせて図示上下縦方向に沿って小大順に整列配置する。経線材（９５ｂ）は単位経線材を所定長さに選択的に同軸連結したものを用いる。そこで、図１９（ｅ）（ｆ）に示すように、整列配置された複数の緯線材（９５ａ）に対し複数の経線材（９５ｂ）を外側から図示縦方向に交叉配置し、その交叉位置で経線材（９５ｂ）の単位連結部（９５ｃ）で緯線材（９５ａ）を外側から把持する。尚、頂部については、上記同様、図９（ｂ）（ｃ）に示す四つ股単位経線材（２７ａ）又は図１０（ａ）に示す三つ股単位経線材（２８ａ）を用いれば良い。この時、必要に応じ単位経線材の連結用凸部を微小に出入りさせて単位連結部間ピッチ（Ｐ）を微調整し、その長さを微調整しても良い。
【００４４】
次に、本発明に係る三次元型多様面体の各種実施例を図２０〜図２２を参照して更に示す。尚、以下図示例では簡略のため、一線材を一実線で表し、各交点が本発明の緯線材と経線材との交叉位置、即ち連結位置となる。まず図２０（ａ）は球体（９６）の斜視図、図２０（ｂ）はドーナツ状の円環体（９７）の平面図をそれぞれ示し、図２０（ｃ）はそのＭ−Ｍ線断面を示す。図２０（ｄ）は円筒体（９８）の斜視図、図２０（ｅ）はラッパ体（９９）の斜視図をそれぞれ示す。上記三次元型多様面体は何れも複数の大小円形緯線材を選択的に組み合わせて組み立てるもので、球体（９６）の上下極部には図８（ａ）（ｃ）に示す十字四つ股単位経線材（２３ａ）又は（２４ａ）を用いている。
【００４５】
図２１（ａ）は二つの円錐台（１００ａ）（１００ｂ）を連続形成した錐台（１００）の斜視図、図２１（ｂ）は二つの円錐体（１０１ａ）（１０１ｂ）を連続形成した錐体（１０１）の斜視図である。この場合、二つの円錐台（１００ａ）（１００ｂ）の変曲部（１００ｃ）では、同じ緯線材に対し円錐台（１００ａ）（１００ｂ）の各経線材を互いに位置をずらせて連結すれば良い。又、円錐体（１０１ａ）（１０１ｂ）の変曲部（１０１ｃ）についても同様である。或いは、図４（ｅ）に示す単位経線材（１３ａ）（１４ａ）や同図（ｂ）に示す単位経線材（９ａ）等を用いて連結しても良い。図２１（ｃ）は球体（１０２ａ）と円筒体（１０２ｂ）とを連続形成した壷体（１０２）の側面図で、前記同様、変曲部（１０２ｃ）では、同じ緯線材に対し球体（１０２ａ）と円筒体（１０２ｂ）の各経線材を互いに位置をずらせて連結すれば良い。或いは、図４（ｅ）に示す単位経線材（１３ａ）（１４ａ）や同図（ｂ）に示す単位経線材（９ａ）等を用いて連結しても良い。図２１（ｄ）は図１５（ａ）に示す同心円状補強線材を有する緯線材（６８）を用いており、その補強線材について球体（１０３ａ）を形成した土星体（１０３）の平面図で、図示例では、補強線材は少なくとも二重である。図２１（ｅ）は稜線を富士山状に形成した略円錐台（１０４）の側面図である。
【００４６】
図２２（ａ）は大小球体を連続形成した雪だるま体（１０５）、図２２（ｂ）は同じ大きさの三つの球体と二つの円筒体とを連続形成した団子状体（１０６）の各正面図で、前記同様、変曲部では、同じ緯線材に対し各経線材を互いに位置をずらせて連結すれば良い。図２２（ｃ）は円錐体と円筒体とを連続形成した樹木体（１０７）の斜視図で、円錐体最下位置にある緯線材には図１５（ａ）に示す同心円状補強線材を有する緯線材（６８）を用い、その補強線材について幹となる円筒体を連結形成すれば良い。図２２（ｄ）は単一の円錐台（１０８）の斜視図である。
【００４７】
図２３（ａ）は三次元型多様面体としての球体の表面に世界地図を形成した地球体（１０９）の斜視図で、この場合、裏面が粘着性のシール材等で世界地図を形成して球体表面に貼り付ければ良く、或いは陸地のみシール材で形成しても良い。或いは、陸地を形取った曲面板を球体に所定手段で連結しても良い。これにより簡便な地球儀を構成できる。
【００４８】
次に、本発明に係る三次元組み合わせ型多様面体の実施例の一つとして分子模型を示す。まず図２３（ｂ）（ｃ）（ｄ）は酸素（Ｏ２）、水素（Ｈ２）等の二分子からなる分子模型（１１０）（１１１）（１１２）の各平面図で、分子を所定径の本発明に係る球体、結合手を小径の円筒体でそれぞれ形成する。小径円筒体としては、同じ径の小円形緯線材を整列させ、円形外側又は円形内側から経線材を交叉連結すれば良い。又、球体や円筒体の径寸法及び結合手の長さは緯線材の大きさ及び単位経線材の本数を選択して自由に設定でき、所定長さの経線材でも良い。そこで、小径円筒体から食み出た経線材端部の連結部又は単位経線材端部の単位連結部で球体に連結すると、三次元型多様面体としての球体及び小径円筒体を組み合わせた三次元組み合わせ型多様面体が形成される。
【００４９】
両者の連結に際しては、小径円筒体の単位経線材として例えば図４に示す各種変形実施例を必要に応じ適宜、選択的に用い、図４（ｅ）に示す単位経線材（１３ａ）（１４ａ）や同図（ｂ）に示す単位経線材（９ａ）等を用いて連結しても良い。尚、分子模型（１１０）（１１１）（１１２）は分子の球体と結合手の円筒体との各緯線材の整列方向が同じであるか否かに応じて異ならせたものである。図２３（ｅ）はその簡略化した図を示し、円は分子となる球体、直線は結合手となる小径円筒体をそれぞれ示す。図２３（ｆ）は三分子からなる水や炭酸ガス等の分子模型（１１３）の平面図を示し、図２３（ｇ）はその簡略図である。図２４（ａ）は二重結合を持つエチレン（ＣＨ２＝ＣＨ２）の分子模型（１１４）の平面図を示し、同図（ｂ）はその簡略図である。
【００５０】
上記の如く所定径の球体と小径円筒体とを組み合わせ、しかも緯線材の大きさ及び単位経線材の本数を選択して径寸法や円筒体長さを自由に設定すると、様々な分子模型や幾何学的図形モデルも形成できる。例えば図２５（ａ）は分子を示す球体（円形部）を、結合手を示す小径円筒体（直線部）で連結したベンゼン環の分子模型（１１５）の簡略平面図、図２５（ｂ）は小径円筒体（直線部）を辺とし、各辺を球体（円形部）に連結して組み立てた正四面体（１１６）の簡略斜視図である。図２５（ｃ）は同様に小径円筒体（直線部）を辺とし、各辺を球体（円形部）に連結して組み立てた正六面体（立方体）（１１７）の簡略斜視図である。この場合、単位経線材の本数や連結用嵌合凸部の出入り長さを選択して小径円筒体の長さ、即ち辺の長さを自由に設定できるため、立方体の対角線も形成可能となる。図２６（ａ）（ｂ）はそれぞれ辺の長さや角度を異ならせて形成した角錐体（１１８）（１１９）の簡略斜視図であり、その各斜視図形図を図２６（ｃ）（ｄ）にそれぞれ示す。図２６（ｅ）は多数の球体と小径円筒体とを用いて形成した大寸法の正六面体（１２０）の簡略斜視図である。
【００５１】
ここで、本発明に係る球体を含む三次元型多様面体では、図３（ｂ）の単位経線材（５ａ）の単位連結部（５ｂａ）に示すように他の単位連結部（５ｂ）に対して軸を中心に径方向に個別選択的に１８０°反転できる。そのため、例えば球体組み立て後、反転した単位連結部（５ｂａ）で他の球体の緯線材又は経線材を把持し、それにより異なる球体同士、更には一般に三次元型多様面体同士、連結して三次元組み合わせ型多様面体を形成できる。そこで、図２７（ａ）は同じ大きさの複数の三次元型多様面体としての球体（円形部）を数珠状に連結したリング体（１２１）、図２７（ｂ）は同じ大きさの複数の球体を正三角形状に稠密に連結したもの（１２２）、図２７（ｃ）は同じ大きさの複数の球体を矩形状に連結したもの（１２３）の各平面図である。図２８（ａ）は大小二種類の三次元型多様面体としての球体（円形部）を複数個、交互に数珠状に連結したリング体（１２４）、図２８（ｂ）は同じ大きさの複数の球体を連結したアステロイド体（１２５）、図２８（ｃ）は大中小三種類の球体を直線的に整列して連結したもの（１２６）、図２８（ｄ）は同じ大きさの複数の球体を無作為に連結し、且つ、円筒体（角形部）を連結したブドウ状体（１２７）の各平面図である。
【００５２】
次に、本発明に係る経線材の柔軟な変形性を利用すれば、更に二次元型多様面体の実施例が可能となり、以下に示す。まず図２９（ａ）は立体方眼（１２８）上に形成した二次元型多様面体の平面図で、立体方眼（１２８）は非変形性方眼線材（Ｘｏ）（Ｙｏ）をＸＹ軸方向に交差した所定方眼寸法の方形網状に成形したものである。そこで、本発明に係る単位経線材（５ａ）を同軸連結した経線材（５）を変形させつつ所定位置で方眼線材（Ｘｏ）（Ｙｏ）を単位連結部（５ｂ）で弾性把持して立体方眼（１２８）に連結し、所望の二次元的曲線パターン（Ｌａ）〜（Ｌｄ）を形成する。上記方眼線材径は経線材（５）の単位連結部（５ｂ）の内径｛例えば経線材（４）の連結部内径（ｔ）｝に等しい。
【００５３】
上記二次元的パターンを形成するに際しては、同軸連結した連結部無し単位経線材（５ａａ）（図３参照）の間に所定距離毎に連結部付き単位経線材（５ａ）を設ける。そこで、図２９（ａ）に示すように、本発明に係る経線材（５）を適宜、所望形状に湾曲させつつ、又、必要に応じ例えば図３（ａ）に示す凸部（５ｃ）を出入りさせて軸長さを調節しつつ単位経線材（５ａ）が方眼線材（Ｘｏ）（Ｙｏ）と直交する位置｛例えば曲線パターン（Ｌａ）の位置（Ｌａｘ）（Ｌａｙ）｝で単位連結部（５ｂ）で方眼線材（Ｘｏ）（Ｙｏ）を把持して立体方眼（１２８）に連結し、所望の二次元的曲線パターン形状を保持する。但し、方眼線材（Ｘｏ）（Ｙｏ）と直交しない位置では、連結部無し単位経線材（５ａａ）を用いる。
【００５４】
そうすると、立体方眼（１２８）上で経線材（５）の湾曲形状や曲線の組み合わせに応じて例えば正弦波曲線（Ｌａ）、アステロイド曲線（Ｌｂ）、双曲線（Ｌｃ）、放物線（Ｌｄ）の各二次元的曲線パターンをそれぞれ描くことができる。従って、本発明に係る経線材（５）によれば、三次元型近似曲面だけでなく二次元的直線及び曲線パターンを描くことが可能となる。尚、図２９（ｂ）は図２９（ａ）の側面図を示す。この時、連結部として図６（ａ）に示すバネ材からなる単位連結部（１６ｂ）を用いれば、単位連結部（１６ｂ）が経線材（５）に対して別体となって回転できる。そのため、単位経線材（５）が方眼線材（Ｘｏ）（Ｙｏ）に対して斜めに交差する位置でも連結でき、それにより連結位置が増加して曲線や傾斜した直線パターン形成時等に好適である。尚、正方形方眼空隙の一辺の長さは単位連結部（５ｂ）の外径よりやや大きければ良く、例えば連結部外径が４ｍｍであれば、正方形空隙の一辺は５ｍｍ程度の長さで良い。
【００５５】
図３０（ａ）は単位立体方眼（１２９）の平面図で、方眼線材（Ｘａ）（Ｙａ）の各端面に連結用嵌合凸部（Ｘｂ）（Ｙｂ）が形成され、その各対向端面に凸部（Ｘｂ）（Ｙｂ）と嵌合する凹部（Ｘｃ）（Ｙｃ）｛図３０（ｃ）に（Ｘｃ）を図示、（Ｙｃ）も同様である｝が穿設される。尚、図３０（ｂ）は単位立体方眼（１２９）の側面図、図３０（ｃ）は方眼線材（Ｘａ）の凸凹部（Ｘｂ）（Ｘｃ）を示す一部断面平面図、図３０（ｄ）（ｅ）はそれぞれ図３０（ｃ）のＮ−Ｎ線断面図、及びＱ−Ｑ線断面図である。
【００５６】
図３１（ａ）は４枚の単位立体方眼（１２９）（但し、方眼空隙の数を図３０よりも少なくしている）と４枚の隅部線材（１３０）と８枚の外枠線材（１３１）の平面図を示す。隅部線材（１３０）はＬ字型線材で、その端面に凸部（１３０ａ）が形成される。外枠線材（１３１）はその端面（１３１ａ）に凸部（１３０ａ）が嵌合する凹部（図示せず）が形成される。且つ、方眼線材（Ｘａ）（Ｙａ）に連なる突起（１３１ｂ）を有し、その突起端面に嵌合凸部（１３１ｃ）、又は凸部（Ｘｂ）（Ｙｂ）と嵌合する凹部（図示せず）が形成される。そこで、図３１（ｂ）に示すように、４枚の単位立体方眼（１２９）の凸凹部（Ｘｂ）（Ｘｃ）及び（Ｙｂ）（Ｙｃ）を嵌合して連結すると共に、凸部（１３０ａ）（１３１ｃ）及びその嵌合凹部を介して外枠線材（１３１）及び隅部線材（１３０）を単位立体方眼（１２９）に連結し、大きな立体方眼（１３２）を形成する。尚、図３１（ｃ）（ｄ）は外枠線材（１３１）の凸部（１３１ｃ）と凹部（１３１ｄ）をそれぞれ示す。
【００５７】
図３２（ａ）は凸部（Ｘｂ’）に外段部（Ｘｂａ）と切り込み部（Ｘｂｂ）、凹部（Ｘｃ’）の開口内周面に内段部（Ｘｃａ）をそれぞれ設け、連結時の抜け落ちを防止した方眼線材（Ｘａ）の一部断面部分平面図で、方眼線材（Ｙａ）についても同様である。尚、図３２（ｂ）は図３２（ａ）の凹部（Ｘｃ’）の側面図、同図（ｃ）は図３２（ａ）のＲ−Ｒ線断面図をそれぞれ示し、図３２（ｄ）は単位立体方眼連結時の凸凹部嵌合状態を示す一部断面部分平面図である。尚、図示しないが、凸部（Ｘｂ’）の外側周面と凹部（Ｘｃ’）の内側周面とにそれぞれ段部に替えて軸方向の脱抜を防止する粗面を形成しても良い。図３２（ｅ）は連結線材（１３３）で、その側周面に一対の連結部（１３３ａ）（１３３ｂ）を一体に有する。そして、図３２（ｆ）及びそのＳ−Ｓ線断面である図３２（ｇ）に示すように、単位立体方眼連結時、連結部（１３３ａ）（１３３ｂ）が、異なる単位立体方眼の同方向の隣り合う方眼線材（Ｙａ）（Ｙａ）｛又は（Ｘａ）（Ｘａ）｝を把持して連結を確実に保持する。
【００５８】
図３３（ａ）は本発明に係る角形モザイク片（１３４）の斜視図を示し、その構造は所定寸法と厚みの方形板状モザイク部（１３４ａ）の下面所定位置に連結部（１３４ｂ）を突設したもので、図３３（ｂ）（ｃ）（ｄ）（ｅ）はその正面図と側面図と下面図と上面図をそれぞれ示す。連結部（１３４ｂ）は下面中央部を左右に切り割って分断した弾性的変形性を有する円筒状円環体で、方眼線材（Ｘａ）（Ｙａ）を着脱自在に弾性把持してモザイク片（１３４）を立体方眼に連結し、モザイク片（１３４）は連結されたまま隣り合う方眼線材間を摺動する。
【００５９】
ここで、図３４に示すように、モザイク片（１３４）の立体方眼連結時にモザイク部（１３４ａ）が方眼線材（Ｘａ）又は（Ｙａ）であって一対の同方向方眼線材の隣り合う各中心線の間に収まり、且つ、モザイク部（１３４ａ）の中心（Ｏ）が互いに交差する一対の異方向方眼線材（Ｘａ）（Ｙａ）の各中心線の交差点（十字交差の中心）（Ｏａ）と、その交差点（Ｏａ）を通る中心線上にあってその線と交差する一対の同方向方眼線材の隣り合う各中心線間の中間点（Ｏｂ）との間を摺動できるように連結部（１３４ｂ）の取り付け位置を中心（Ｏ）から片方に所定距離だけ偏在した所定位置に、又、連結部（１３４ｂ）の厚みも所定値に設定しておく。
【００６０】
一寸法例として方眼線材（Ｘａ）（Ｙａ）の線材径（Ｅａ）を２ｍｍ、方眼空隙を正方形としてその一辺の長さ（Ｅｂ）を５ｍｍとすると、方眼線材（Ｘａ）又は（Ｙａ）であって一対の同方向方眼線材の隣り合う各中心線間距離（Ｅｃ）は７ｍｍとなる。そこで、正方形モザイク部（１３４ａ）の一辺の長さを７ｍｍにすると、方眼線材（Ｘａ）又は（Ｙａ）であって一対の同方向方眼線材の隣り合う各中心線間に収まる。又、図３３（ｃ）に示すように、連結部（１３４ｂ）の厚み（Ｆａ）を１．５ｍｍとし、その厚み中心がモザイク部中心（０）から図示左方へ１．７５ｍｍだけ中心線に沿って偏在した位置にあるように連結部取り付け位置を設定する。そうすると、連結部（１３４ｂ）と図示モザイク部左側面との離隔距離（Ｆｂ）（短い側）は１ｍｍ、連結部（１３４ｂ）と図示モザイク部右側面との離隔距離（Ｆｃ）（長い側）は４．５ｍｍとなる。
【００６１】
そこで、図３４に示すように、連結部（１３４ｂ）で方眼線材（Ｘａ）又は（Ｙａ）を把持して摺動させ、連結部（１３４ｂ）を方眼線材（Ｙａ）又は（Ｘａ）の側面に当接させると、モザイク部（１３４ａ）の中心（Ｏ）は十字交差点（Ｏａ）又は中間点（Ｏｂ）に重なって位置することになる。
【００６２】
そうすると、図３４に示すように、まず上下一対のモザイク片が連結されている位置（Ｐａ）において下位置にあるモザイク片（以下、下位置モザイク片と称す）の連結部（点線で示す）で方眼線材（Ｙａ）を把持して図示上方に摺動させ、連結部を方眼線材（Ｘａ）の下側面に当接させて中心（Ｏ）と交差点（Ｏａ）とを重ねる。その左斜め上方に上位置にあるモザイク片（以下、上位置モザイク片と称す）をその連結部を方眼線材（Ｙａ）の右側に配置して連結部で方眼線材（Ｘａ）を把持する。その位置から上位置モザイク片を方眼線材（Ｘａ）上を右方に摺動させてその連結部を右隣の方眼線材（Ｙａ）の左側面に当接させると、位置（Ｐｂ）に示すように上位置モザイク片の下辺の右半分が下位置モザイク片の上辺に部分的に隣接する。
【００６３】
そこで、位置（Ｐｃ）に示すように、上位置モザイク片を１８０°反転させ、その連結部を方眼線材（Ｙａ）の右側に配置し、再び上位置モザイク片を方眼線材（Ｘａ）上を右方に摺動させてその連結部を方眼線材（Ｙａ）の左側面に当接させると、位置（Ｐｄ）に示すように、上位置モザイク片の下辺が下位置モザイク片の上辺に全辺隣接する。次に、位置（Ｐｅ）に示すように、上位置モザイク片を１８０°反転させ、その連結部を方眼線材（Ｙａ）の右側に配置し、同様に上位置モザイク片を方眼線材（Ｘａ）上を右方に摺動させてその連結部を方眼線材（Ｙａ）の左側面に当接させる。そうすると、位置（Ｐｆ）に示すように、上位置モザイク片の下辺の左半分が下位置モザイク片の上辺に部分的に隣接する。
【００６４】
次に、位置（Ｐｇ）に示すように、上位置モザイク片を１８０°反転させ、その連結部を方眼線材（Ｙａ）の右側に配置し、再び上位置モザイク片を方眼線材（Ｘａ）上を右方に摺動させてその連結部を方眼線材（Ｙａ）の左側面に当接させると、位置（Ｐｈ）に示すように、上位置モザイク片の下辺が下位置モザイク片の上辺から全辺離れ、その右斜め上方に位置する。従って、位置（Ｐａ）〜（Ｐｈ）において定位置にある下位置モザイク片に対し上位置モザイク片が全辺隣接しつつ方眼線材（Ｘａ）上を連続変位することになる。
【００６５】
図３５は位置（Ｑａ）〜（Ｑｈ）に到り、定位置にある左位置モザイク片に対し右位置モザイク片が全辺隣接しつつ方眼線材（Ｙａ）上を連続変位する過程図を示す。図３６は複数のモザイク片（１３４）を立体方眼に連結して描かせた様々なパターンの各種実施例を示す。この場合、モザイク片は隣のモザイク片に対し全辺隣接しつつ連続変位できるため、縦横直交方向に配列するだけでなく、任意の角度で斜め方向に沿って配列できる。
【００６６】
図３７は本発明に係るモザイク片の他の実施例を示すモザイク片（１３５）であって、（ａ）〜（ｅ）はそれぞれ斜視図、正面図、側面図、下面図、上面図である。モザイク片（１３４）と相違する点はモザイク部（１３５ａ）が所定厚みの円板体であることで、連結部（１３５ｂ）の形状、弾性変形性及び取り付け位置はモザイク片（１３４）と同様である。
【００６７】
図３８は複数のモザイク片（１３５）を立体方眼に連結して描かせた様々なパターンの各種実施例を示す。この場合、モザイク片（１３４）と同様、モザイク片は隣のモザイク片に対し連続変位できるため、縦横直交方向に配列するだけでなく、任意の角度で斜め方向に沿って配列できる。そのため、図示のように、円、放物線等、様々な二次元的曲線パターンを描くことができる。
【００６８】
図３９（ａ）は目盛り（Ｔａ）を刻んだ方眼線材（Ｘｐ）（Ｙｐ）、同図（ｂ）は目盛り（Ｔｂ）を刻んだ方眼線材（Ｘｐ’）（Ｙｐ’）の各部分平面図で、図３９（ａ）に示す目盛り（Ｔａ）は目盛り模様だけでなく、方眼線材（Ｘｐ）（Ｙｐ）の各軸方向に沿って中心線（Ｔａｘ）（Ｔａｙ）も刻まれている。図３９（ｂ）に示す目盛り（Ｔｂ）は目盛り模様のみ刻まれている。これによりモザイク片（１３４）（１３５）を方眼線材上で摺動させる際、その位置を確実に認知できる。
【００６９】
図３９（ｃ）は本発明に係るモザイク片の他の実施例であるモザイク片（１３６）の正面図で、相違する点は連結部（１３６ｂ）にバネ材を用いたことで、バネ材は例えば図３９（ｆ）に示すように、板バネ材であり、図示しないが、線バネ材でも良い。連結部（１３６ｂ）の形状は前記同様、下部中央部を左右に切り割って分断した円環体で、その上部に取り付け部（１３６ｂａ）が設けられ、取り付け部（１３６ｂａ）がモザイク部（１３６ａ）に一体に埋め込み成形される。モザイク部（１３６ａ）はモザイク部（１３５ａ）と同様、所定厚みの円板体で、図示しないが、所定厚みの正方形板でも良い。図３９（ｄ）（ｅ）はその側面図と下面図である。
【００７０】
図４０（ａ）は立体囲碁体（１３７）を示す囲碁型多様面体の部分平面図で、図示一点鎖線は囲碁板に相当する本発明に係る立体方眼のＸＹ軸各方眼線材（Ｘａ）（Ｙａ）｛又は（Ｘｏ）（Ｙｏ）｝の中心線で、立体方眼の部分側面図を図４０（ｂ）に示す。又は、図４０（ｃ）に示すように、方眼線材（Ｘａ）（Ｙａ）の下面所定位置にスタンドとなる脚柱部（Ｘｔ）を下向きに立設し、テーブル（１３８）等の上に載せて囲碁を打つ。或いは、方眼線材（Ｘａ）（Ｙａ）を壁面や柱等に取り付けたフックやＬ型ピン等に引っ掛けて囲碁を打つこともできる。又、碁石に相当する碁石片（１３９）は、図４０（ｄ）に示すように、碁石部（１３９ａ）と連結部（１３９ｂ）とを具備し、その下面図と側面図を図４０（ｅ）（ｆ）にそれぞれ示す。碁石部（１３９ａ）は本発明に係るモザイク部を碁石形（図示例では概略形として円柱形に描いている）に成形し、その表面を白色及び黒色の二種類に色付けして形成される。
【００７１】
又、連結部（１３９ｂ）は、図４０（ｄ）に示すように、下部中央部を左右に切り割って分断した円柱状略円環体で、方眼線材（Ｘａ）（Ｙａ）を着脱自在に弾性把持する。この時、図示のように、切り割り面間の隙間（１３９ｃ）をやや拡げ、又、切り割り面端面（１３９ｄ）を下方に拡径したテーパ面に形成して着脱を容易にしておくことが望ましい。且つ、円環体上部を部分的に削って平坦に成形しておき、立体方眼連結時に碁石部下面と方眼線材上面とが同じ高さになって両面部分的に接するようにする。更に、連結時に図４０（ｅ）に示す碁石部中心（０ｏ）が方眼線材（Ｘａ）（Ｙａ）の十字交差の中心（Ｏａ）に重なるように連結部（１３９ｂ）の取り付け位置を中心（Ｏｏ）から偏在させておく。これにより既存の碁石と同様、方眼線材（Ｘａ）（Ｙａ）の十字交差の中心（Ｏａ）に碁石片（１３９）を打つことになる。
【００７２】
又、図４０（ｇ）に示す碁石片（１４０）のように、連結部（１４０ｂ）を一対の平行平板で形成しても良く、その下端面に下方に拡径のテーパ面を形成して着脱を容易にしておくことが望ましい。その下面図と側面図を図４０（ｈ）（ｉ）にそれぞれ示す。又、連結時に図４０（ｈ）に示す碁石部中心（０ｏ）が方眼線材（Ｘａ）（Ｙａ）の十字交差の中心（Ｏａ）に重なるように連結部（１４０ｂ）の取り付け位置を中心（Ｏｏ）から偏在させておく。尚、碁石部（１４０ａ）は碁石部（１３９ａ）と同様、本発明に係るモザイク部を碁石形（図示例では概略形として円柱形に描いている）に成形し、その表面を白色及び黒色の二種類に色付けしたものである。
【００７３】
図４０（ｊ）は立体将棋体（１４１）を示す将棋型多様面体の部分平面図で、図示一点鎖線は将棋板に相当する本発明に係る立体方眼の方眼線材（Ｘａ）（Ｙａ）｛又は（Ｘｏ）（Ｙｏ）｝の中心線で、駒片（１４２）が将棋駒に相当する。又、図４０（ｃ）と同様、方眼線材（Ｘａ）（Ｙａ）の下面所定位置にスタンドとなる脚柱部（Ｘｔ）を下向きに立設し、テーブル（１３８）等の上に載せて将棋を打つ。或いは、方眼線材（Ｘａ）（Ｙａ）を壁面や柱等に取り付けたフックやＬ型ピン等に引っ掛けて将棋を打つこともできる。又、将棋駒に相当する駒片（１４２）は、図４０（ｋ）に示すように、駒部（１４２ａ）と連結部（１４２ｂ）とを具備し、その下面図と側面図を図４０（ｍ）（ｎ）にそれぞれ示す。駒部（１４２ａ）は本発明に係るモザイク部を駒形状に成形し、その表面に王将、飛車、角、桂馬等の駒名称（図示せず）をシール貼付、印刷、成形等の所定手段で印字して形成される。
【００７４】
又、連結部（１４２ｂ）は、図４０（ｋ）に示すように、下部中央部を左右に切り割って分断した円柱状略円環体で、方眼線材（Ｘａ）（Ｙａ）を着脱自在に弾性把持する。この時、図示のように、碁石片（１３９）と同様、切り割り面間の隙間（１４２ｃ）をやや拡げておき、又、切り割り面端面（１４２ｄ）を下方に拡径のテーパ面を形成して着脱を容易にしておくことが望ましい。且つ、円環体上部を部分的に削って平坦に成形しておき、立体方眼連結時に駒部下面と方眼線材上面とが同じ高さになって両面部分的に接するようにする。更に、連結時に図４０（ｍ）に示す駒部中心（０ｆ）が方眼線材（Ｙａ）の中心線上にあってその線と交差する一対の方眼線材（Ｘａ）の隣り合う各中心線間の中間点（Ｏｂ）に重なるように連結部（１４２ｂ）の取り付け位置を中心（Ｏｆ）から偏在させておく。これにより図４０（ｊ）に示すように、駒部（１４２ａ）は方眼空隙内では受けず、方眼線材上で支持されることになる。
【００７５】
又、図４０（ｐ）に示す駒片（１４３）のように、連結部（１４３ｂ）を一対の平行平板で形成しても良く、その下端面に下方に拡径のテーパ面を形成して着脱を容易にしておくことが望ましい。その下面図と側面図を図４０（ｑ）（ｒ）にそれぞれ示す。又、連結時に図４０（ｑ）に示す駒部中心（０ｆ）が方眼線材（Ｙａ）の中心線上にあってその線と交差する一対の方眼線材（Ｘａ）の隣り合う各中心線間の中間点（Ｏｂ）に重なるように連結部（１４３ｂ）の取り付け位置を中心（Ｏｆ）から偏在させておく。尚、駒部（１４３ａ）は駒部（１４２ａ）と同様、駒板で、その表面には図示しないが、王将、飛車、角、桂馬等の駒名称をシール貼付、印刷、成形等の所定手段により印字する。
【００７６】
又、図４０（ｊ）に示すように、方眼線材（Ｘａ）（Ｙａ）の方眼空隙内に十字状の線材（Ｘｓ）（Ｙｓ）を全方眼空隙（但し、一方眼空隙のみ図示する）に亘って形成する。そして、十字交差の中心（Ｏｓ）と駒部中心（Ｏｆ）とが重なるように駒片（１４２）（１４３）の連結部（１４２ｂ）（１４３ｂ）の取り付け位置を調整し、線材（Ｘｓ）（Ｙｓ）を連結部（１４２ｂ）（１４３ｂ）で把持する。そうすると、駒部（１４２ａ）（１４３ａ）は線材（Ｘｓ）（Ｙｓ）で支持され、方眼線材（Ｘａ）（Ｙａ）の方眼空隙内に駒片（１４２）（１４３）、即ち将棋駒が収まる。この場合、線材（Ｘｓ）（Ｙｓ）の線径を連結部（１４２ｂ）（１４３ｂ）の円環内径に等しくする一方、方眼線材（Ｘａ）（Ｙａ）の線径は線材（Ｘｓ）（Ｙｓ）と異ならせてやや太くし、両線材を一見して区別し易くすることが望ましい。又、一方眼空隙寸法も駒部（１４２ａ）（１４３ａ）よりもやや大きくし、結果として方眼線材（Ｘａ）（Ｙａ）の寸法を変更することが望ましい。
【００７７】
図４１（ａ）は各表面をそれぞれ各種色付けした複数の角形有色モザイク片（１４４）によって構成したモザイク模様体（１４５）を示す二次元型多様面体の部分平面図である。上記モザイク模様体（１４５）は複数の有色モザイク片（１４４）を立体方眼の所望位置に連結して二次元的模様を形成し、立体方眼上で任意の平面色模様を描いたものである。尚、モザイク部としては、図示の正四角柱体の他、低高さの円板体、正三角柱体、正六角柱体、正五角柱体等でも良い。この場合、モザイク部と連結部との一体成形が困難であれば、それぞれ個別に成形した後、改めて両者接合して所定のモザイク片を形成すれば良い。
【００７８】
図４１（ｂ）は発光ダイオード（１４６）を取り付けたモザイク片（１４７）を示す正面図で、図４１（ｃ）にその側面図を示す。モザイク片（１４７）は、図４１（ｂ）（ｃ）に示すように、円板体のモザイク部（１４７ａ）と連結部（１４７ｂ）とを具備し、発光ダイオード（１４６）が発光部を表面に露出させつつモザイク部（１４７ａ）内に埋設される。又、連結部（１４７ｂ）は、図４１（ｂ）に示すように、下部中央部を左右に切り割って分断した円柱状略円環体で、立体方眼線材を着脱自在に弾性把持する。この時、図示のように、切り割り面間の隙間（１４７ｃ）をやや拡げ、又、切り割り面端面（１４７ｄ）に下方に拡径したテーパ面を形成して着脱を容易にしておくことが望ましい。且つ、円環体上部を部分的に削って平坦成形しておき、立体方眼連結時にモザイク部下面と方眼線材上面とが同じ高さになって両面部分的に接するようにする。又、図示しないが、連結時にモザイク部中心が方眼線材の十字交差の中心に重なるように連結部（１４７ｂ）の取り付け位置をモザイク部中心から偏在させておく。又、円環体内側周面に導電材（１４８）を側表面を露出させつつ一体に埋め込み成形しておき、且つ、導電材（１４８）と発光ダイオード（１４６）とをモザイク部内で導線（１４９）で電気的接続しておく。図４１（ｄ）にモザイク片（１４７）の連結部（１４７ｂ）が把持する本発明に係る方眼線材（Ｘｈ）（Ｙｈ）の部分平面図を示し、図４１（ｅ）にそのＴ−Ｔ線断面図を示す。上記方眼線材（Ｘｈ）（Ｙｈ）は両側周面に導電材（１５０）（１５１）が表面を露出させて一体に設けられ、モザイク片連結時に導電材（１４８）と電気的接触し、発光ダイオード（１４６）に給電する。
【００７９】
図４２（ａ）は本発明の表示型多様面体の平面図で、複数の文字板（１５２）を組み合わせて所定の意味表示をする文字板表示体（１５３）を示し、図示一点鎖線は本発明に係る立体方眼の方眼線材（Ｘａ）（Ｙａ）の中心線である。文字板（１５２）は、図４２（ｂ）（ｃ）の正面図と下面図に示すように、表示部（１５２ａ）と連結部（１５２ｂ）とを具備する。表示部（１５２ａ）は低高さの正四角柱体で、その表面には平仮名、片仮名、漢字、アルファベット等の和文字や英文字、更には数字がシール貼付、印刷、成形等の所定手段により一文字板（１５２）につき一文字ずつ或いは複数文字が印字される。連結部（１５２ｂ）はモザイク片連結部と同様、下部中央部を左右に切り割って分断した円柱状略円環体で、切り割り面間の隙間（１５２ｃ）をやや拡げておき、又、切り割り面端面（１５２ｄ）をテーパ面に形成しておくことが望ましい。且つ、円環体上部を部分的に削って平坦に成形しておき、立体方眼連結時に表示部下面と方眼線材上面とが同じ高さになって両面部分的に接するようにする。連結部（１５２ｂ）は、図４２（ｃ）に示すように、方眼線材（Ｘａ）又は（Ｙａ）の隣り合う２本を同時に把時するように左右２列に亘って設けられ、四角柱体では更に上下２段に亘り計４個設けておく。又、連結時に図４２（ｃ）に示す表示部中心（０ｅ）が方眼線材（Ｘａ）（Ｙａ）の方眼空隙内の中心（Ｏｈ）に重なるように連結部（１５２ｂ）の取り付け位置を片方に偏在させておく。
【００８０】
上記文字板表示体（１５３）によれば、図４２（ａ）或いは（ｄ）に示すように、複数の文字板（１５２）を任意に組み合わせて立体方眼に連結して文や名称等を構成し、それにより所望の意味表示をする。表示は用途や名称、伝言等、種々可能である。例えば、立体方眼を部屋の扉に適宜、フックやＬ型ピン等により掛けて居住者の在室有無表示や「勉強中」等の居住者の都合表示に用いる。或いは、レストランや外飲食店のメニュー価格表示板等に用いても甚だ有用である。又、柱や壁に引っ掛けて伝言等を表示しても良い。又、図４２（ｄ）に示すように、文字板（１５２）を横に連続に、又は一文字ずつ離して整列連結したり、或いは図４２（ｅ）に示すように、文字板（１５２）を斜めに配したり、縦に整列させて連結しても良い。又、図４２（ｆ）に示すように、線材（Ｘａ）（Ｙａ）からなる立体方眼の表裏面に文字板（１５２）を連結し、適宜、立体方眼を表裏反転し、表裏面で文字板表示体（１５３）を入れ換えて交互使用しても良い。例えば、在室等の有無を表裏で区別して表示する。又、図４２（ｇ）に示すように、文字板（１５４）の表示部（１５４ａ）を円板体で形成しても良く、この場合、表示部の大きさから連結部（１５４ｂ）は２列の２個となる。又、文字板（１５２）と同様、連結時に図４２（ｇ）に示す表示部中心（０ｅ’）が方眼線材（Ｘａ）（Ｙａ）の方眼空隙内中心（Ｏｈ）に重なるように連結部（１５４ｂ）の取り付け位置を片方に偏在させておく。
【００８１】
図４３（ａ）に示すように、予め任意に構成した三次元型多様面体（１５５）（１５６）の底部から所定の経線材を下向きに食み出させ、その端部において立体方眼の方眼線材（Ｘａ）（Ｙａ）に当接する連結部により当接位置で方眼線材（Ｘａ）（Ｙａ）を把持すると、幾つかの所望の三次元型多様面体（１５５）（１５６）を同一面に同時構成することが出来る。しかも、立体方眼毎、テーブルや置き台上等に載せるだけでなく、方眼の網目を利用してフック等により例えば壁面に引っ掛けた状態で観賞することも可能である。例えば、図２７、２８に示すリング体（１２１）（１２４）やアステロイド体（１２５）等を方眼線材（Ｘａ）（Ｙａ）に形成すると、観賞用に甚だ好適である。
【００８２】
更に、図４３（ｂ）に示すように、方眼線材（Ｘａ）（Ｙａ）上に種々の三次元型多様面体（１５７）（１５８）を同時構成するだけでなく、方眼線材（Ｘａ）（Ｙａ）及び多様面体（１５７）（１５８）上にモザイク片（１３５）による所望の二次元的曲線や直線パターン、又は数字や文字パターン、或いは図示しないが、経線材による二次元的曲線や直線パターン等も同時に形成する。そうすると、三次元型多様面体の近似曲面が立体方眼に替わる立体曲眼になると共に、二次元的模様と三次元立体モデルの同時構成も可能となる。これにより本発明に係る二次元及び三次元混成型多様面体が形成される。
【００８３】
又、モザイク片（１３５）や経線材だけでなく、文字板（１５２）を方眼線材（Ｘａ）（Ｙａ）や多様面体（１５７）（１５８）上に連結して立体面や曲面で文字板表示体もできる。これらは上記同様、置き台等の他、壁面等に引っ掛けて観賞することも可能である。又、例えば店頭やショーウィンドウの立体広告ディスプレイ等に用いても、甚だ有用である。
【００８４】
本発明に係る多様面体の他の実施例を図４４（ａ）〜（ｅ）に示す。但し、簡略のため、図４４（ａ）（ｃ）（ｄ）（ｅ）において一実線は一線材を表し、各実線の交点が線材交叉位置、即ち連結位置となる。まず図４４（ａ）は本発明の三次元型多様面体からなるコップ形第１円筒体（１５９）の斜視図を示し、図４４（ｄ）に示すように、その最下面の円形緯線材（１５９ａ）のみに補強枠、例えば同心円状補強枠（１５９ｂ）を設けておく。図４４（ｂ）は折畳み可能な薄いシート材からなる上方開口、底面閉塞の第２円筒体（１６０）の斜視図で、その外形状は第１円筒体（１５９）の内形状と略同形で、シート材が耐熱性であれば、更に有用である。そして、第２円筒体（１６０）を第１円筒体（１５９）に収納すると、図４４（ｃ）に示すように、簡易型コップ容器（１６１）が形成される。そこで、予め第１円筒体（１５９）を本発明に係る緯線材と経線材とに分解しておき、それらと第２円筒体（１６０）になる折畳みシート材とを袋やカバン等に仕舞っておく。そして、必要に応じ第１円筒体（１５９）を組み立て、且つ、第２円筒体（１６０）を拡げて第１円筒体（１５９）に収納し、簡易型コップ容器（１６１）を形成する。これにより組み立て式の簡易携帯型コップ容器ができる。又、図４４（ｅ）は本発明の三次元型多様面体からなるかご体（１６２）の斜視図を示し、これにより組み立て分解式の簡易携帯型かご容器ができる。
【００８５】
図４５（ａ）（ｂ）は実在又は創作による所定の物体や生物体又はキャラクタをモデルとし、それに似せて組み立てた本発明に係るモデル組み合わせ型多様面体（１６３）の組合せ前後の各斜視図を示す。上記多様面体（１６３）はモデル物体として恐竜をイメージしたもので、図４５（ａ）に示すように、頭部モデル型多様面体（１６３ａ）、首部モデル型多様面体（１６３ｂ）、尻尾を含む胴体部モデル型多様面体（１６３ｃ）、４本の足部モデル型多様面体（１６３ｄ）の各部分からなる。各部分のモデル型多様面体（１６３ａ）〜（１６３ｄ）は、それぞれモデル物体各部の輪切り断面の輪郭線に合わせて成形した緯線材を所定距離毎に整列配置し、所定長の経線材で交叉連結したもので、特に頭部モデル型多様面体（１６３ａ）の眼は本発明に係るモザイク片によって形成する。そして、図４５（ｂ）に示すように、各部連結側に食み出させた経線材端部の連結部で連結相手側の緯線材又は経線材を把持し、各部分モデル型多様面体（１６３ａ）〜（１６３ｄ）を連結すると、恐竜をモデル物体としてその近似形立体のモデル組み合わせ型多様面体（１６３）となる。尚、上記実施例では、首部モデル型多様面体（１６３ｂ）と胴体部モデル型多様面体（１６３ｃ）とを分けているが、経線材で両者一体に形成できれば、両部を一体部としても良い。又、尻尾の端には図９（ｂ）又は図１０（ａ）に示す単位経線材（２７ａ）又は（２８ａ）を用いれば良い。
【００８６】
又、図４６（ａ）に示すように、図４５（ｂ）に示すモデル組み合わせ型多様面体（１６３）の外表面をシール材で被覆すると、一見して肉付けされたモデル組み合わせ型多様面体（１６４）となる。又、カラーシール材等を用いれば、更にリアルな多様面体（１６４）を形成できる。被覆材としては、上記シール材の他、有色テープ材でも良く、又、多様面体を骨組みとし、その外表面上を粘土材で肉付けしても良い。ここで、モデル物体としては例えば犬、猫、ライオン等の動物、樹木等の植物、更に鳥類及び魚類等、主として曲面外形から構成される生物体が本発明特徴を良く生かすもので、更にミッキーマウス、アンパンマン、どらえもん等のキャラクタ造形も本発明に格好のモデル素材である。又、人体の造形も可能であり、更に緯線材及び経線材の各寸法を大きくすれば、マネキン人形の造形も可能である。この場合、経線材を蛇腹状にすれば、線径を太くしても弾性変形性を有することができる。又、緯線材に角形のものを用いれば、乗物、建造物やメカ類等、無機的非生命体にも適用可能である。
【００８７】
図４６（ｂ）〜（ｉ）は本発明に係るモザイク片に代替する各飾り付け片（１６５ｂ）〜（１６５ｉ）を示す各平面図で、モザイク片に替えて飾り付け片（１６５ｂ）〜（１６５ｉ）を用いれば、更に多様な模様やパターンの形成が可能である。この場合、各飾り付け片（１６５ｂ）〜（１６５ｉ）はモザイク片と同様、下面に連結部を有するが、飾り付け片形状との一体成形が困難であれば、飾り付け片形状と連結部とを別体に成形した後、両者を適宜、機械的に或いは接着剤等で化学的に接合一体化すれば良い。又、飾り付け片形状も図示例の他、無数に可能である。
【００８８】
図４６（ｊ）は方眼に替わり、極座標表示する円形立体曲眼（１６６）の概略平面図、図４６（ｋ）は円形枠を有する立体方眼（１６７）の概略平面図である。尚、図４６（ｊ）（ｋ）中、各実線はそれぞれ所定線径の線材を表す。
【００８９】
図４７（ａ）は本発明に係る多様面体の組立治具の斜視図を示し、図において（１６８）はスライド移動式組立台、（１６９）はガイド台である。組立台（１６８）は、図４７（ｂ）に示すように、ベース台（１６８ａ）の上面に鉤型保持台（１６８ｂ）が一体に形成され、更に各保持台（１６８ｂ）の上面に一対の位置決めピン（１６８ｃ）が突設される。ガイド台（１６９）は四方向に十字状に放射形成され、四方向の各々に上方に開口したガイド溝部（１６９ａ）が穿設される。ガイド溝部（１６９ａ）は上部開口が幅狭、下部刳り貫き部が幅広の縦断面凸型形状を有する。そこで、保持台（１６８ｂ）を上方に部分的に露出させ、ベース台（１６８ａ）をガイド溝部（１６９ａ）の下部刳り貫き部に嵌め合わせつつ収納支持し、４個のスライド移動式組立台（１６８）を矢印に示す各軸往復方向にスライド移動案内する。尚、ガイド台（１６９）は上記四方向に限らず三方向以上に放射形成すれば良い。
【００９０】
そこで、例えば図４７（ｃ）に示すように、四方向のガイド溝部（１６９ａ）の各々に支持された４個の組立台（１６８）を適宜、移動させて円形緯線材（３）を各保持台（１６８ｂ）の位置決めピン（１６８ｃ）の各一対間に載せて保持する。そこで、各組立台（１６８）を外方向にスライド移動させると、円形緯線材（３）の内径側面が内側の位置決めピン（１６８ｃ）に係止されて緯線材（３）が位置決め及び仮固定される。その状態で手作業により例えば経線材（４）の連結部（４ｂ）を外周囲から緯線材（３）に押し込んで弾性把持する。一つの緯線材（３）の経線材（４）による連結が終わると、再び保持台（１６８ｂ）をやや内方にスライド移動して仮固定を解き、緯線材（３）を保持台（１６８ｂ）から外す。その後、別異の緯線材（３）について同じ組立作業を新たに実施する。上記作業を繰り返して三次元型、モデル型、その組み合わせ型等、種々の多様面体を組み立てる。
【００９１】
次に、本発明に係る多様面体の組立治具の他の実施例を図４８（ａ）〜（ｈ）を参照して示す。図４８（ａ）（ｂ）は組立治具のガイド台（１７０）の平面図とそのＵ−Ｕ線断面図、図４８（ｃ）（ｄ）（ｅ）は高さがそれぞれ異なる３種類のスライド移動式組立台（１７１）（１７２）（１７３）の各正面図、図４８（ｆ）（ｇ）は組立台（１７１）の側面図と平面図、図４８（ｈ）は高さ可変の組立台（１７４）の分解斜視図を示す。ガイド台（１７０）は四方向十字状に放射形成され、各方向毎に３列ずつ上方開口の方形ガイド溝部（１７０ａ）が穿設される。ガイド溝部（１７０ａ）の各両内側面にはスライド案内用の半丸型断面のレール部（１７０ｂ）がスライド移動方向に沿って一体に突設される。組立台（１７１）はベース台（１７１ａ）の上に連続に鉤型保持台（１７１ｂ）が一体形成される。ベース台（１７１ａ）の両側面にレール部（１７０ｂ）に嵌まる横長の半丸型断面の側溝（１７１ｃ）が形成され、保持台（１７１ｂ）の上面には一対の位置決めピン（１７１ｄ）が突設される。組立台（１７２）（１７３）は組立台（１７１）と同じ構造を有し、保持位置高さをそれぞれ異ならせたものである。
【００９２】
そこで、ベース台（１７１ａ）を所望のガイド溝部（１７０ａ）に側溝（１７１ｃ）をレール部（１７０ｂ）に嵌め合わせつつ収納して組立台（１７１）を支持し、保持台（１７１ｂ）を上方に部分的に露出させつつ組立台（１７１）をレール部（１７０ｂ）に沿って往復スライド移動させる。他の二つの組立台（１７２）（１７３）についても同様である。３種類の組立台（１７１）（１７２）（１７３）は各々保持位置高さが相異なるため、３本の緯線材を各保持台に同時に保持するように組立台（１７１）（１７２）（１７３）をそれぞれ選択的に移動して相互に位置をずらせば、３本の緯線材を各保持台に同時に保持することが可能になる。それにより３本の緯線材の同時組立作業が可能になる。
【００９３】
次に、組立台（１７４）はＬ型ベース台（１７４ａ）と保持台（１７４ｂ）と仮止めピン（１７４ｃ）とを具備する。ベース台（１７４ａ）は上方に開口した縦孔部（１７４ｄ）と、両側壁面に貫通して穿設された所定数の第１ピン孔（１７４ｅ）とを有し、下部両側面にレール部（１７０ｂ）に嵌まる横長半丸型断面の側溝（１７４ｆ）が形成される。保持台（１７４ｂ）は下面に支持板（１７４ｇ）が一体に突設され、その側面下部に第２ピン孔（１７４ｈ）が貫通して穿設され、上面には一対の位置決めピン（１７４ｉ）が突設される。
【００９４】
そこで、保持台（１７４ｂ）の支持板（１７４ｇ）をベース台（１７４ａ）の縦孔部（１７４ｄ）に出入り自在に挿入し、所望の高さ位置で第１ピン孔（１７４ｅ）と第２ピン孔（１７４ｈ）とを選択的に合わせ、側面から仮止めピン（１７４ｃ）を第１、第２ピン孔（１７４ｅ）（１７４ｈ）に同時挿通して保持台（１７４ｂ）を所望の高さ位置で仮固定する。次に、１２個の組立台（１７４）を用意し、各々保持位置高さを相異ならせると共に、それぞれベース台（１７４ａ）を所望のガイド溝部（１７０ａ）に側溝（１７４ｆ）をレール部（１７０ｂ）に嵌め合わせつつ選択的に収納し、１２個の組立台（１７４）を４方向の各方向毎に３個ずつ支持する。そして、保持台（１７４ｂ）を上方に部分的に露出させつつ各組立台（１７４）をレール部（１７０ｂ）に沿って選択的にそれぞれ往復スライド移動させる。それにより３本の緯線材を各方向毎に３個の組立台（１７４）の各保持台（１７４ｂ）に４方向に亘って同時に載せ、３本の緯線材の同時組立作業が可能になる。
【００９５】
【発明の効果】
本発明によれば、整列配置した所望輪郭形状の緯線材に経線材を変形させつつ交叉配置し、各交叉位置で緯線材と経線材とを連結して立体を形成したから、経線材は柔軟に変形して曲線を描くため、三次元近似曲面を含む立体形状、即ち本発明に係る三次元型多様面体の形成が可能となる。そこで、複数の単位経線材を同軸連結して経線材の長さを自在に設定し、且つ、緯線材を大小の円形や角形等、各種形状寸法のものを揃えると、緯線材の形状寸法と配置形態及び経線材の長さを選択することにより近似曲面を含む任意の各種立体形状を自在に形成できる。角柱体の他、球体等の近似曲面構成が主要な特徴である。しかも線材のため、軽量で分解時は薄く場所を取らず、材料も節約され、コスト低減できる。
【００９６】
又、所望の単位経線材を個別に径方向回転して単位連結部を反転させ、外側に向いた単位連結部で他の三次元型多様面体の経線材又は緯線材を把持し、又は多様面体から食み出た経線材端部の連結部又は単位連結部で他の三次元型多様面体の経線材又は緯線材を把持し、独立の三次元型多様面体同士、互いに連結して組み合わせることができ、更に多様な立体、即ち本発明に係る三次元組み合わせ型多様面体を組み立てることができる。又、単位経線材を同軸連結して所望の長さに限りなく延長できるため、三次元型多様面体同士の組み合わせも併せると、立体寸法を随意に大きくして寸法が制約されない多様面体を形成できる。
【００９７】
又、経線材の柔軟さと変形性を利用し、方眼線材を縦横に交差した方形網状に成形してなる立体方眼に経線材を所望形状に変形させつつ連結すると、経線材による二次元的曲線パターンを描いた二次元型多様面体を形成できる。又、連結部を備えた複数のモザイク片を所望形状に立体方眼に連結して同様に二次元型多様面体を形成できる。モザイク片は各種形状が可能で、又、モザイク片が立体方眼に連結された時、モザイク部が一対の同方向方眼線材の隣り合う各中心線の間に収まり、且つ、モザイク部中心が互いに交差する一対の異方向方眼線材の各中心線の交差点と、その交差点を通る中心線上にあってその線と交差する一対の同方向方眼線材の隣り合う各中心線間の中間点との間を摺動できるように連結部の取り付け位置及び厚みをそれぞれ所定位置及び値に設定することによりモザイク片の連続変位が可能となり、立体方眼上にモザイク片による二次元的曲線パターンを描くことができる。
【００９８】
又、同一立体方眼上に二次元及び三次元型各多様面体を同時形成して二次元及び三次元混成型多様面体も形成可能となり、更に幅広い組立が可能となる。立体方眼はフックや紐等で壁面等に引っ掛けたり、吊り下げることができるため、立体方眼上に形成した二次元又は三次元型多様面体を棚や机上等に置くだけでなく、壁面等に引っ掛けて観賞できる。
【００９９】
ここに、近似曲面を含む各種立体形状の構成及びそれらの組み合わせ、そして二次元的パターン及びそれと三次元との混成型も自在に可能であること等において創造の幅が飛躍的に増大し、単純な構造でありながらも存分に創造性を発揮することができ、年少者から成年者まで年令を問わず、出来合いのものでは知り得ない深みのある造形と限りない創造の楽しみを味わうことができる。
【０１００】
上述の本発明各多様面体によれば、三次元及びその組み合わせ型により近似曲面を含む立体が自在に組み立てられる点において創造性を刺激及び造成する知育遊具を生む。それだけでなく球体と小径円柱体とによる三次元組み合わせ型において分子模型や立体的図形を組み立てられる点、二次元型において曲線を含む二次元的パターンが自在に形成できる点、三次元型と二次元型とを組み合わせられる点等を加え、創造的遊具に止まらず楽しみながら立体幾何学や科学及び図形や曲線を学べる教材になるという大きな効果がある。パソコン画面の立体的図形（ＣＧ）に基づき形を実際に組み立てることも本発明の大きな教育効果である。
【０１０１】
本発明はそれに止まらず、実用に供する多様面体も可能で、本発明の占有実施領域は甚だ広範囲である。まず碁石形に成形したモザイク部表面を白黒に色付けして碁石片を形成すると、立体方眼上で囲碁を打つ囲碁型多様面体、そして将棋駒形に成形したモザイク部の表面に駒名称を印字して駒片を形成すれば、立体方眼上で将棋を打つ将棋型多様面体がそれぞれでき、共に持運びの容易な簡易型、携帯型囲碁や将棋となり、場所を選ばず囲碁、将棋を楽しめる。しかも両者共に立体方眼を用いるため、テーブル面等だけでなく、壁面等に引っ掛けた状態で打つこともできる。
【０１０２】
又、表示型多様面体によれば、モザイク部表面に文字やアルファベット及び数字を印字して形成した文字板を立体方眼に着脱自在に連結し、文字板の組み合わせにより所望の意味構成が自在に可能となる。しかも上記同様、立体方眼を用いるため、それを壁面やドア等に引っ掛けたり、吊り下げた状態で他者に伝達できる。そこで、家庭や職場等の室内での各種表示や伝達、伝言等、又、料理メニュー表示や価格一覧、案内表示等、公用、私用を問わず幅広く使用できる。又、文字や数字、アルファベット遊び等の知育遊戯にも利用できる。
【０１０３】
又、同一立体方眼上に文字表示と二次元的パターンを、そして三次元型多様面体をも同時形成し、更に飾り付け等を施し、ショーウィンドウ等の立体広告ディスプレイ等に用いると、多彩な立体的宣伝表現や広告形態が可能となる。又、曲面を利用して組み立て分解自在のかごや容器を形成すると、簡易容器として、或いは持ち運び可能な携帯用具として旅行時等に有用である。又、三次元型多様面体の各種立体に植木の枝や蔓を絡ませる等、園芸用品として利用することもできる。
【０１０４】
本発明は近似曲面構成を大きな特徴とするため、緯線材を幾何形状の他、モデル物体の輪切り断面の輪郭線に合わせて成形すると、それを用いたモデル型多様面体は動物や植物、魚類、鳥類等、生物体の造形、或いは既存キャラクタの造形に甚だ好適で、それぞれ観賞材にもなる。
【０１０５】
以上説明したように本発明に係る各種多様面体は近似曲面や二次元的曲線パターンの形成可能な、そして創造力を育てる知育遊具として楽しめる他、三次元立体幾何学や二次元的曲線及び分子モデルの学習等、学習用教材として使用することもできる。又、各種モデル型多様面体は観賞用となり、又、文字表示や立体的ディスプレイそして簡易容器、園芸用品等、実用具に用いることもできる。このように本発明は遊具、教材、観賞材、実用具と各年齢層、各方面において幅広い利用実施が可能で、多岐に亘り多大な実施効果を齎らすものである。
【図面の簡単な説明】
【図１】（ａ）（ｂ）は本発明の緯線材の実施例の拡大平面図とそのＡ−Ａ線断面図、（ｃ）（ｄ）は本発明の経線材の部分拡大正面図と斜視図、（ｅ）は図１（ｃ）のＢ−Ｂ線拡大断面図であって、本発明の経線材の連結部の各実施例を示す図、（ｆ）は本発明の経線材の他の実施例の部分拡大正面図、（ｇ）は本発明の三次元型多様面体の一実施例の概略斜視図。
【図２】（ａ）（ｂ）は本発明の単位経線材の拡大正面図と斜視図、（ｃ）は本発明の単位経線材を同軸連結して形成された経線材の部分拡大正面図、（ｄ）（ｅ）は図２（ｃ）の経線材の単位連結部と緯線材との連結を示す部分拡大正面図と斜視図。
【図３】（ａ）（ｂ）は同軸連結された本発明の単位経線材の実施例の各部分正面図、（ｃ）（ｄ）は本発明の単位経線材の実施例の拡大正面図と一部断面拡大正面図。
【図４】（ａ）（ｂ）（ｃ）（ｄ）（ｅ）は本発明の単位経線材の実施例の各拡大正面図。
【図５】（ａ）（ｂ）は本発明の単位経線材の実施例の部分断面拡大正面図と側面図、（ｃ）は（ａ）のＣ−Ｃ線断面図、（ｄ）は同軸連結された（ａ）の単位経線材の部分断面拡大正面図。
【図６】（ａ）は本発明の単位経線材の実施例の拡大正面図、（ｂ）（ｃ）はその単位連結部の実施例の拡大平面図、（ｄ）（ｅ）（ｆ）（ｇ）は本発明の単位経線材の実施例の各拡大正面図、（ｈ）（ｉ）は本発明の単位経線材の実施例の拡大側面図と斜視図。
【図７】（ａ）（ｂ）（ｃ）は本発明の単位経線材の実施例の部分断面を含む各拡大正面図、（ｄ）は本発明の単位経線材の実施例の拡大正面図、（ｅ）（ｆ）（ｇ）は（ｄ）の単位経線材の単位丸棒軸の各拡大正面図。
【図８】（ａ）（ｂ）（ｃ）は本発明の単位経線材の実施例の各拡大斜視図。
【図９】（ａ）は本発明の単位経線材の実施例の拡大斜視図、（ｂ）（ｃ）は本発明の単位経線材の実施例の拡大正面図と平面図、（ｄ）はその部分断面正面図。
【図１０】（ａ）は本発明の単位経線材の実施例の拡大平面図、（ｂ）（ｃ）（ｄ）は本発明の単位経線材の嵌合凹凸部の実施例の部分断面拡大正面図と各側面図。
【図１１】（ａ）〜（ｌ）は本発明の緯線材の実施例の各平面図で、（ｂ）は（ａ）のＤ−Ｄ線断面図、（ｈ）は（ｇ）のＥ−Ｅ線断面図。
【図１２】（ａ）〜（ｌ）は本発明の緯線材の実施例の各平面図。
【図１３】（ａ）〜（ｄ）は本発明の緯線材の実施例の各平面図。
【図１４】（ａ）〜（ｌ）は本発明の緯線材の実施例の各平面図。
【図１５】（ａ）〜（ｌ）は本発明の緯線材の実施例の各平面図。
【図１６】（ａ）〜（ｊ）は本発明の緯線材の実施例の各平面図。
【図１７】（ａ）は本発明の緯線材の実施例の平面図、  （ｂ）はその一部側面図。
【図１８】（ａ）（ｂ）は本発明の三次元型多様面体の実施例の部分断面正面図と平面図で、（ａ）は（ｂ）のＦ−Ｆ線断面図、（ｃ）（ｄ）は（ａ）の緯線材の正面図と平面図、（ｅ）（ｆ）は本発明の三次元型多様面体の実施例の部分断面正面図と平面図で、（ｅ）は（ｆ）のＧ−Ｇ線断面図。
【図１９】（ａ）（ｂ）は本発明の三次元型多様面体の実施例の部分断面正面図と平面図で、（ａ）は（ｂ）のＨ−Ｈ線断面図、（ｃ）（ｄ）は本発明の三次元型多様面体の実施例の部分断面正面図と平面図で、（ｃ）は（ｄ）のＪ−Ｊ線断面図、（ｅ）（ｆ）は本発明の三次元型多様面体の実施例の部分断面正面図と平面図で、（ｅ）は（ｆ）のＫ−Ｋ線断面図。
【図２０】（ａ）（ｄ）（ｅ）は本発明の三次元型多様面体の実施例の各概略斜視図、（ｂ）（ｃ）は本発明の三次元型多様面体の実施例の概略平面図とそのＭ−Ｍ線断面図。
【図２１】（ａ）（ｂ）（ｃ）は本発明の三次元型多様面体の実施例の各概略斜視図と正面図、（ｄ）（ｅ）は本発明の三次元型多様面体の実施例の概略斜視図と正面図。
【図２２】（ａ）（ｂ）（ｃ）は本発明の三次元型多様面体の実施例の各概略正面図と斜視図、（ｄ）は本発明の三次元型多様面体の実施例の概略斜視図。
【図２３】（ａ）は本発明の三次元型多様面体の実施例の概略斜視図、（ｂ）（ｃ）（ｄ）は本発明の三次元組み合わせ型多様面体の実施例の各概略平面図、（ｅ）は（ｂ）（ｃ）（ｄ）の簡略平面図、（ｆ）は本発明の三次元組み合わせ型多様面体の実施例の概略平面図、（ｇ）は（ｆ）の簡略平面図。
【図２４】（ａ）（ｂ）は本発明の三次元組み合わせ型多様面体の実施例の概略平面図とその簡略平面図。
【図２５】（ａ）は本発明の三次元組み合わせ型多様面体の実施例の簡略平面図、（ｂ）（ｃ）は本発明の三次元組み合わせ型多様面体の実施例の各簡略斜視図。
【図２６】（ａ）（ｂ）は本発明の三次元組み合わせ型多様面体の実施例の各簡略斜視図、（ｃ）（ｄ）は（ａ）（ｂ）の各斜視図形図、（ｅ）は本発明の三次元組み合わせ型多様面体の実施例の簡略斜視図。
【図２７】（ａ）（ｂ）（ｃ）は本発明の三次元組み合わせ型多様面体の実施例の各簡略平面図。
【図２８】（ａ）（ｂ）（ｃ）（ｄ）は本発明の三次元組み合わせ型多様面体の実施例の各簡略平面図。
【図２９】（ａ）（ｂ）は本発明の二次元型多様面体の実施例の平面図と側面図。
【図３０】（ａ）（ｂ）は本発明の単位立体方眼の実施例の平面図と側面図、（ｃ）は（ａ）の単位立体方眼の部分断面平面図、（ｄ）（ｅ）は（ｃ）のＮ−Ｎ線断面図とＱ−Ｑ線断面図。
【図３１】（ａ）（ｂ）は本発明の単位立体方眼の実施例の分解時と組立時の各平面図、（ｃ）（ｄ）は（ａ）の各部分側面図。
【図３２】（ａ）は本発明の単位立体方眼の部分断面平面図、（ｂ）（ｃ）は（ａ）の一部側面図とＲ−Ｒ線断面図、（ｄ）は（ａ）の単位立体方眼の連結時の部分断面平面図、（ｅ）は本発明の単位立体方眼の連結線材の正面図、（ｆ）（ｇ）は（ｅ）の連結線材を用いた本発明の単位立体方眼の部分平面図とそのＳ−Ｓ線断面図。
【図３３】（ａ）（ｂ）（ｃ）（ｄ）（ｅ）は本発明のモザイク片の実施例の斜視図と正面図と側面図と下面図と上面図。
【図３４】図３３のモザイク片の立体方眼上での連続変位を示す部分平面図。
【図３５】図３３のモザイク片の立体方眼上での連続変位を示す部分平面図。
【図３６】図３３のモザイク片の立体方眼上での二次元的パターンを示す部分平面図。
【図３７】（ａ）（ｂ）（ｃ）（ｄ）（ｅ）は本発明のモザイク片の実施例の斜視図と正面図と側面図と下面図と上面図。
【図３８】図３７のモザイク片の立体方眼上での二次元的パターンを示す部分平面図。
【図３９】（ａ）（ｂ）は本発明の立体方眼の実施例の部分平面図、（ｃ）（ｄ）（ｅ）は本発明のモザイク片の実施例の正面図と側面図と下面図、（ｆ）はその連結部の平面図。
【図４０】（ａ）（ｂ）（ｃ）は本発明の囲碁型多様面体の実施例の要部概略平面図と立体方眼の各部分側面図、（ｄ）（ｅ）（ｆ）は本発明の碁石片の実施例の正面図と下面図と側面図、（ｇ）（ｈ）（ｉ）は本発明の碁石片の実施例の正面図と下面図と側面図、（ｊ）は本発明の将棋型多様面体の実施例の要部概略平面図、（ｋ）（ｍ）（ｎ）は本発明の駒片の実施例の正面図と下面図と側面図、（ｐ）（ｑ）（ｒ）は本発明の駒片の実施例の正面図と下面図と側面図。
【図４１】（ａ）は本発明の色付きモザイク片とそのパターンの実施例の要部概略平面図、（ｂ）（ｃ）は本発明の発光型モザイク片の実施例の正面図と側面図、（ｄ）（ｅ）は（ｃ）の発光型モザイク片用立体方眼の部分平面図とそのＴ−Ｔ線断面図。
【図４２】（ａ）は本発明の表示型多様面体の実施例の要部概略平面図、（ｂ）（ｃ）は本発明の文字板の実施例の正面図と下面図、（ｄ）（ｅ）はそれぞれ本発明の表示型多様面体の実施例の要部概略平面図、  （ｆ）は本発明の表示型多様面体の実施例の部分断面側面図、（ｇ）は本発明の文字板の実施例の下面図。
【図４３】（ａ）は立体方眼上に構成した本発明の複数の三次元型多様面体の概略斜視図、（ｂ）は本発明の本発明の二次元及び三次元混成型多様面体の実施例の概略斜視図。
【図４４】（ａ）（ｂ）（ｃ）は本発明を応用した簡易型コップ容器の実施例で、（ａ）は本発明の三次元型多様面体からなる円筒体の概略斜視図、（ｂ）はシート材からなる円筒体の概略斜視図、（ｃ）はコップ容器組立時の概略斜視図、（ｄ）は（ａ）の円筒体の平面図、（ｅ）は本発明の三次元型多様面体からなるかご体の実施例の概略斜視図。
【図４５】（ａ）（ｂ）は本発明のモデル組み合わせ型多様面体の実施例の分解時と組立時の各概略斜視図。
【図４６】（ａ）は本発明のモデル組み合わせ型多様面体の実施例の概略斜視図、（ｂ）〜（ｉ）は本発明の飾り付け片の実施例の各平面図、（ｊ）は本発明の立体曲眼の実施例の概略平面図、（ｋ）は本発明の立体方眼の実施例の概略平面図。
【図４７】（ａ）は本発明の多様面体の組立治具の実施例の斜視図、（ｂ）は（ａ）の組立台の斜視図、（ｃ）は（ａ）の組立治具による本発明の組立動作の平面図。
【図４８】（ａ）（ｂ）は本発明の組立治具のガイド台の実施例の平面図とそのＵ−Ｕ線断面図、（ｃ）（ｄ）（ｅ）は本発明の組立治具の組立台の実施例の各正面図、（ｆ）（ｇ）は（ｃ）の組立台の側面図と平面図、（ｈ）は本発明の組立治具の組立台の実施例の分解斜視図。
【図４９】（ａ）（ｂ）は従来例の平面図と組立時の斜視図形図。
【符号の説明】
３    緯線材
４    経線材
４ｂ  連結部
【図１】
2004203008.tif 000003
【図２】
2004203008.tif 000004
【図３】
2004203008.tif 000005
【図４】
2004203008.tif 000006
【図５】
2004203008.tif 000007
【図６】
2004203008.tif 000008
【図７】
2004203008.tif 000009
【図８】
2004203008.tif 000010
【図９】
2004203008.tif 000011
【図１０】
2004203008.tif 000012
【図１１】
2004203008.tif 000013
【図１２】
2004203008.tif 000014
【図１３】
2004203008.tif 000015
【図１４】
2004203008.tif 000016
【図１５】
2004203008.tif 000017
【図１６】
2004203008.tif 000018
【図１７】
2004203008.tif 000019
【図１８】
2004203008.tif 000020
【図１９】
2004203008.tif 000021
【図２０】
2004203008.tif 000022
【図２１】
2004203008.tif 000023
【図２２】
2004203008.tif 000024
【図２３】
2004203008.tif 000025
【図２４】
2004203008.tif 000026
【図２５】
2004203008.tif 000027
【図２６】
2004203008.tif 000028
【図２７】
2004203008.tif 000029
【図２８】
2004203008.tif 000030
【図２９】
2004203008.tif 000031
【図３０】
2004203008.tif 000032
【図３１】
2004203008.tif 000033
【図３２】
2004203008.tif 000034
【図３３】
2004203008.tif 000035
【図３４】
2004203008.tif 000036
【図３５】
2004203008.tif 000037
【図３６】
2004203008.tif 000038
【図３７】
2004203008.tif 000039
【図３８】
2004203008.tif 000040
【図３９】
2004203008.tif 000041
【図４０】
2004203008.tif 000042
【図４１】
2004203008.tif 000043
【図４２】
2004203008.tif 000044
【図４３】
2004203008.tif 000045
【図４４】
2004203008.tif 000046
【図４５】
2004203008.tif 000047
【図４６】
2004203008.tif 000048
【図４７】
2004203008.tif 000049
【図４８】
2004203008.tif 000050
【図４９】
2004203008.tif 000051